(57)【要約】  閉鎖機構について記載し、この閉鎖機構は、ベースと、ベースに沿って可動であるキャリッジと、キャリッジに沿って可動であるキャッチ機構と、ベースとキャッチ機構とを連結する第１の弾性機構と、キャリッジとキャッチ機構とを連結する第２の弾性機構と、を備える。【選択図】図１
2018523032.tif 000002
【特許請求の範囲】
【請求項１】
閉鎖機構であって、
ベースと、
前記ベースに沿って可動であるキャリッジと、
前記キャリッジに沿って可動であるキャッチ機構と、
前記ベースと前記キャッチ機構とを連結する第１の弾性機構と、
前記キャリッジと前記キャッチ機構とを連結する第２の弾性機構と、を備える閉鎖機構。
【請求項２】
前記キャッチ機構に連結されたリンク機構をさらに備え、前記第１の弾性機構は、前記リンク部材を介して前記キャッチ機構に連結する、請求項１に記載の閉鎖機構。
【請求項３】
前記リンク部材に連結可能なラッチ機構をさらに備え、前記第１の弾性機構は、前記ラッチ機構を介して前記リンク部材に連結する、請求項２に記載の閉鎖機構。
【請求項４】
前記ベースに沿った少なくとも一方向の前記キャッチ機構の動きを制動するための制動機構をさらに備える、請求項１〜３のいずれか１項に記載の閉鎖機構。
【請求項５】
前記制動機構は、固定端および自由端を有し、前記制動機構の前記自由端は、前記キャッチ機構に連結されている、請求項４に記載の閉鎖機構。
【請求項６】
前記第１の弾性機構は、少なくとも１つのバネである、請求項１〜５のいずれか１項に記載の閉鎖機構。
【請求項７】
前記少なくとも１つのバネは、少なくとも２つのバネである、請求項６に記載の閉鎖機構。
【請求項８】
前記第２の弾性機構は、少なくとも１つのバネである、請求項１〜７のいずれか１項に記載の閉鎖機構。
【請求項９】
前記少なくとも１つのバネは、少なくとも２つのバネである、請求項８に記載の閉鎖機構。
【請求項１０】
当該閉鎖機構は、位置決め対象物を位置決めするように機能する、請求項１〜９のいずれか１項に記載の閉鎖機構。
【請求項１１】
当該閉鎖機構は、本体内で閉鎖対象物を閉じるように機能し、当該閉鎖機構の前記キャッチ機構は、前記閉鎖対象物を閉じるために、キャッチ用トリガと協働する、請求項１〜１０のいずれか１項に記載の閉鎖機構。
【請求項１２】
当該閉鎖機構は、前記閉鎖対象物に固定されており、前記キャッチ用トリガは、前記本体に固定されている、請求項１１に記載の閉鎖機構。
【請求項１３】
前記キャッチ用トリガは、前記閉鎖対象物に固定されており、当該閉鎖機構は、前記本体に固定されている、請求項１１に記載の閉鎖機構。
【請求項１４】
前記閉鎖対象物は、ドア、窓、間仕切り、ゲート、ドロワからなる群から選択される、請求項１１〜１３のいずれか１項に記載の閉鎖機構。
【請求項１５】
前記本体は、フレームを含む、請求項１４に記載の閉鎖機構。
【請求項１６】
前記キャッチ機構に連結可能な少なくとも１つのさらなる弾性機構をさらに備える、請求項１〜１５のいずれか１項に記載の閉鎖機構。
【請求項１７】
すべての前記弾性力機構の張力を同時に調整するための弾性力調整機構をさらに備える、請求項１〜１６のいずれか１項に記載の閉鎖機構。
【請求項１８】
前記弾性力調整機構は、
各々の前記弾性力機構に関連付けられた従動ギアであって、前記関連付けられた弾性力機構の張力を調整するように構成された従動ギアと、
前記弾性力機構の前記従動ギアに係合可能な少なくとも１つの駆動ギアであって、すべての前記弾性力機構の張力を同時に調整するように機能する少なくとも１つの駆動ギアと、を有する、請求項１７に記載の閉鎖機構。
【請求項１９】
前記少なくとも１つの駆動ギアの各々は、前記従動ギアに係合している第１の位置から、前記従動ギアから係合解除されている第２の位置に、移行可能である、請求項１８に記載の閉鎖機構。
【請求項２０】
前記駆動ギアは、前記係合解除位置に向けて付勢されている、請求項１９に記載の閉鎖機構。
【請求項２１】
閉鎖機構であって、
細長部材と、
前記細長部材に沿ってスライド可能なキャッチと、
前記キャッチが前記細長部材に沿ってスライドするときに、前記キャッチに力を付与するように機能する力付与機構と、を備え、
第１の方向に付与される最大力は、第２の反対方向に付与される最大力よりも大きい、閉鎖機構。
【請求項２２】
前記力付与機構は、少なくとも２つの弾性機構を含み、前記第１の方向には、前記少なくとも２つの弾性機構のすべては協働して力を付与し、前記第２の方向には、前記少なくとも２つの弾性機構の各々は別々に作用して、各々の前記弾性機構は、前記第２の方向のスライドの一部のみのための力を付与する、請求項２１に記載の閉鎖機構。
【請求項２３】
前記キャッチに対して前記第１の方向に付与される力を減衰させるように機能するダンパをさらに備える、請求項２２に記載の閉鎖機構。
【請求項２４】
当該閉鎖機構は、位置決め対象物を位置決めするように機能する、請求項２３に記載の閉鎖機構。
【請求項２５】
すべての前記弾性力機構の張力を同時に調整するための弾性力調整機構をさらに備える、請求項２１〜２４のいずれか１項に記載の閉鎖機構。
【請求項２６】
前記弾性力調整機構は、
各々の前記弾性力機構に関連付けられた従動ギアであって、前記関連付けられた弾性力機構の張力を調整するように構成された従動ギアと、
前記弾性力機構の前記従動ギアに係合可能な少なくとも１つの駆動ギアであって、すべての前記弾性力機構の張力を同時に調整するように機能する少なくとも１つの駆動ギアと、を有する、請求項２５に記載の閉鎖機構。
【請求項２７】
前記少なくとも１つの駆動ギアの各々は、前記従動ギアに係合している第１の位置から、前記従動ギアから係合解除されている第２の位置に、移行可能である、請求項２６に記載の閉鎖機構。
【請求項２８】
前記駆動ギアは、前記係合解除位置に向けて付勢されている、請求項２７に記載の閉鎖機構。
【請求項２９】
パネル用の閉鎖装置であって、
ベースであって、
第１端および第２端と、
該ベースの前記第１端から前記第２端までの少なくとも一部に延在する案内路と、を有するベースと、
前記第１の案内路に沿って可動であるキャリッジであって、
第１端および第２端と、
該キャリッジの前記第１端から前記第２端までの少なくとも一部に延在するキャリッジ案内路と、を有するキャリッジと、
前記キャリッジ案内路に沿って可動であるキャッチ機構と、
第１端および第２端を有する連結リンクであって、該連結リンクの前記第２端に、前記キャッチ機構が連結されている、連結リンクと、
第１の弾性機構と、
前記連結リンクの前記第１端に連結可能なリンケージキャッチ機構であって、該リンケージキャッチ機構を介して前記第１の弾性機構は前記連結リンクに連結している、リンケージキャッチ機構と、
前記キャリッジの前記第１端と前記キャッチ機構とを連結している第２の弾性機構と、
前記ベースの前記第１端に向かって動くときの前記キャッチ機構の動きを制動するための制動機構と、を備える、パネル用閉鎖装置。
【請求項３０】
前記キャッチ機構に連結可能な少なくとも１つの第３の弾性機構をさらに備える、請求項２９に記載のパネル用閉鎖装置。
【請求項３１】
前記制動機構は、固定端および自由端を有し、前記制動機構の前記自由端は、前記リンケージキャッチ機構に連結されている、請求項２９または３０に記載のパネル用閉鎖装置。
【請求項３２】
前記パネルはドアである、請求項２９〜３１のいずれか１項に記載のパネル用閉鎖装置。
【請求項３３】
前記パネルは窓である、請求項２９〜３１のいずれか１項に記載のパネル用閉鎖装置。
【請求項３４】
前記パネルは、フレーム内に取り付けられており、前記フレームにはキャッチ用トリガが装着されており、当該閉鎖装置は、前記パネルに装着されている、請求項２９〜３３のいずれか１項に記載のパネル用閉鎖装置。
【請求項３５】
前記パネルは、フレーム内に取り付けられており、前記パネルにはキャッチ用トリガが装着されており、当該閉鎖装置は、前記フレームに装着されている、請求項２９〜３３のいずれか１項に記載のパネル用閉鎖装置。
【請求項３６】
当該閉鎖装置は、前記パネルを位置決めするように機能する、請求項２９〜３５のいずれか１項に記載のパネル用閉鎖装置。
【請求項３７】
すべての前記弾性力機構の張力を同時に調整するための弾性力調整機構をさらに備える、請求項２９〜３６のいずれか１項に記載のパネル用閉鎖装置。
【請求項３８】
前記弾性力調整機構は、
各々の前記弾性力機構に関連付けられた従動ギアであって、前記関連付けられた弾性力機構の張力を調整するように構成された従動ギアと、
前記弾性力機構の前記従動ギアに係合可能な少なくとも１つの駆動ギアであって、すべての前記弾性力機構の張力を同時に調整するように機能する少なくとも１つの駆動ギアと、を有する、請求項３７に記載のパネル用閉鎖装置。
【請求項３９】
前記少なくとも１つの駆動ギアの各々は、前記従動ギアに係合している第１の位置から、前記従動ギアから係合解除されている第２の位置に、移行可能である、請求項３８に記載のパネル用閉鎖装置。
【請求項４０】
前記駆動ギアは、前記係合解除位置に向けて付勢されている、請求項３９に記載のパネル用閉鎖装置。
【請求項４１】
スライド対象物用の構成可能な制御機構であって、
サブアセンブリを収容する細長ベースであって、第１端および第２端を有する細長ベースと、
第１端および第２端を有する少なくとも２つの細長サブアセンブリであって、該細長サブアセンブリは前記ベース内に設置可能であり、該細長サブアセンブリの前記第１端および前記第２端は、前記細長ベースの前記第１端および前記第２端と略アライメントされており、該少なくとも２つのサブアセンブリは、弾性力機構と制動機構とを含む群から選択されるものであり、該サブアセンブリの各々は、
該サブアセンブリの前記第１端から前記第２端までの少なくとも一部に延在する軌道と、
前記軌道に沿って可動であるキャリッジであって、該キャリッジは少なくとも１つの連結機構を有し、前記少なくとも１つの連結機構の各々は、１つのサブアセンブリを他の１つのサブアセンブリまたはキャッチに連結するように機能する、キャリッジと、を有する少なくとも２つの細長サブアセンブリと、を備える、スライド対象物用の構成可能な制御機構。
【請求項４２】
前記サブアセンブリが選択される前記群は、他の装置を制御するように機能する機械的スイッチング機構、電気的スイッチング機構、ロック機構、電動制御機構、多目的サブアセンブリをさらに含む、請求項４１に記載の、スライド対象物用の構成可能な制御機構。
【請求項４３】
前記スライド対象物はパネルである、請求項４１または４２に記載の、スライド対象物用の構成可能な制御機構。
【請求項４４】
前記パネルは窓である、請求項４３に記載の、スライド対象物用の構成可能な制御機構。
【請求項４５】
前記パネルはドアである、請求項４３に記載の、スライド対象物用の構成可能な制御機構。
【請求項４６】
前記スライド対象物は、フレーム内に取り付けられており、前記フレームにはキャッチ用トリガが装着されており、当該構成可能な制御機構は、前記パネルに装着されている、請求項４１〜４５のいずれか１項に記載の、スライド対象物用の構成可能な制御機構。
【請求項４７】
前記パネルは、フレーム内に取り付けられており、前記パネルにはキャッチ用トリガが装着されており、当該構成可能な制御機構は、前記フレームに装着されている、請求項４１〜４５のいずれか１項に記載の、スライド対象物用の構成可能な制御機構。
【請求項４８】
前記少なくとも２つの細長サブアセンブリは、少なくとも３つのサブアセンブリであり、前記少なくとも３つのサブアセンブリのうちの少なくとも２つは、弾性力機構であり、第１の方向に付与される最大力は、第２の反対方向に付与される最大力よりも大きい、請求項４１〜４７のいずれか１項に記載の、スライド対象物用の構成可能な制御機構。
【請求項４９】
前記少なくとも２つの細長サブアセンブリは、少なくとも３つのサブアセンブリであり、前記少なくとも３つのサブアセンブリのうちの少なくとも２つは、弾性力機構であり、第１の移動方向には、前記少なくとも２つの弾性力機構のすべては協働して力を付与し、第２の方向には、前記少なくとも２つの弾性力機構の各々は別々に作用して、各々の前記弾性力機構は、前記第２の方向のスライドの一部のみのための力を付与する、請求項４１〜４７のいずれか１項に記載の、スライド対象物用の構成可能な制御機構。
【請求項５０】
すべての前記弾性力機構の張力を同時に調整するための弾性力調整機構をさらに備える、請求項４１〜４９のいずれか１項に記載の、スライド対象物用の構成可能な制御機構。
【請求項５１】
前記弾性力調整機構は、
各々の前記弾性力機構に関連付けられた従動ギアであって、前記関連付けられた弾性力機構の張力を調整するように構成された従動ギアと、
前記弾性力機構の前記従動ギアに係合可能な少なくとも１つの駆動ギアであって、すべての前記弾性力機構の張力を同時に調整するように機能する少なくとも１つの駆動ギアと、を有する、請求項５０に記載の、スライド対象物用の構成可能な制御機構。
【請求項５２】
前記少なくとも１つの駆動ギアの各々は、前記従動ギアに係合している第１の位置から、前記従動ギアから係合解除されている第２の位置に、移行可能である、請求項５１に記載の、スライド対象物用の構成可能な制御機構。
【請求項５３】
前記駆動ギアは、前記係合解除位置に向けて付勢されている、請求項５２に記載の、スライド対象物用の構成可能な制御機構。
【請求項５４】
請求項４１〜５３のいずれか１項に記載の細長ベースおよびサブアセンブリを含む、スライド対象物用のキットセット制御機構。
【請求項５５】
閉鎖機構であって、
細長ベースであって、
第１端および第２端と、
該ベースの前記第１端から前記第２端までの少なくとも一部に延在する案内路と、を有する細長ベースと、
概ね前記第１端で前記案内路内に固定された第１のサブアセンブリであって、
前記ベースの前記第１端および前記第２端と略同じ方向にある第１端および第２端と、
該第１のサブアセンブリの前記第１端から前記第２端までの少なくとも一部に延在するキャリッジ軌道と、
前記キャリッジ軌道に沿って可動であるキャリッジであって、
他のサブアセンブリのリンク機構に連結するように機能するリンク機構を含む、キャリッジと、
該第１のサブアセンブリの前記第１端と前記キャリッジとを連結する弾性機構と、を有する第１のサブアセンブリと、
前記第１のサブアセンブリに平行な前記案内路に沿って、前記案内路の前記第１端から前記第２端までスライド可能である第２のサブアセンブリであって、
前記ベースの前記第１端および前記第２端と略同じ方向にある第１端および第２端と、
前記第１端から前記第２端までの少なくとも一部に延在するキャリッジ軌道と、
前記キャリッジ軌道に沿って可動であるキャリッジであって、
他のサブアセンブリのリンク機構に連結するように機能するリンク機構と、
キャッチ機構と、を含むキャリッジと、
該第２のサブアセンブリの前記第１端と前記キャリッジとを連結する弾性機構と、を有する第２のサブアセンブリと、を備える、閉鎖機構。
【請求項５６】
前記ベースに沿った少なくとも一方向の前記キャッチ機構の動きを制動するための制動サブアセンブリをさらに備える、請求項５５に記載の閉鎖機構。
【請求項５７】
前記制動機構は、固定端および自由端を有し、前記制動機構の前記自由端は、前記キャッチ機構に連結されている、請求項５６に記載の閉鎖機構。
【請求項５８】
前記サブアセンブリの前記弾性機構は、少なくとも１つのバネである、請求項５５〜５７のいずれか１項に記載の閉鎖機構。
【請求項５９】
前記少なくとも１つのバネは、少なくとも２つのバネである、請求項５８に記載の閉鎖機構。
【請求項６０】
当該閉鎖機構は、位置決め対象物を位置決めするように機能する、請求項５５〜５９のいずれか１項に記載の閉鎖機構。
【請求項６１】
当該閉鎖機構は、本体内で閉鎖対象物を閉じるように機能し、当該閉鎖機構の前記キャッチ機構は、前記閉鎖対象物を閉じるために、キャッチ用トリガと協働する、請求項５５〜６０のいずれか１項に記載の閉鎖機構。
【請求項６２】
当該閉鎖機構は、前記閉鎖対象物に固定されており、前記キャッチ用トリガは、前記本体に固定されている、請求項６１に記載の閉鎖機構。
【請求項６３】
前記キャッチ用トリガは、前記閉鎖対象物に固定されており、当該閉鎖機構は、前記本体に固定されている、請求項６１に記載の閉鎖機構。
【請求項６４】
前記閉鎖対象物は、ドア、窓、間仕切り、ゲート、パネル、ドロワからなる群から選択される、請求項５５〜６３のいずれか１項に記載の閉鎖機構。
【請求項６５】
他のサブアセンブリに平行な前記案内路に沿ってスライド可能な少なくとも１つのさらなるサブアセンブリをさらに備え、前記少なくとも１つのさらなるサブアセンブリの各々は、前記案内路の前記第１端から、該少なくとも１つのさらなるサブアセンブリにそれぞれ関連付けられた前記案内路内のストッパまでスライド可能であり、前記少なくとも１つのさらなるサブアセンブリの各々は、
前記ベースの前記第１端および前記第２端と略同じ方向にある第１端および第２端と、
前記第１端から前記第２端までの少なくとも一部に延在するキャリッジ軌道と、
前記キャリッジ軌道に沿って可動であるキャリッジであって、
他のサブアセンブリのリンク機構に連結するように機能する第１のリンク機構と、
他のサブアセンブリのリンク機構に連結するように機能する第２のリンク機構と、を含むキャリッジと、
前記少なくとも１つのさらなるサブアセンブリのそれぞれの前記第１端と前記キャリッジとを連結する弾性機構と、を有する、請求項５５〜６４のいずれか１項に記載の閉鎖機構。
【請求項６６】
すべての前記弾性力機構の張力を同時に調整するための弾性力調整機構をさらに備える、請求項５５〜６５のいずれか１項に記載の閉鎖機構。
【請求項６７】
前記弾性力調整機構は、
各々の前記弾性力機構に関連付けられた従動ギアであって、前記関連付けられた弾性力機構の張力を調整するように構成された従動ギアと、
前記弾性力機構の前記従動ギアに係合可能な少なくとも１つの駆動ギアであって、すべての前記弾性力機構の張力を同時に調整するように機能する少なくとも１つの駆動ギアと、を有する、請求項６６に記載の閉鎖機構。
【請求項６８】
前記少なくとも１つの駆動ギアの各々は、前記従動ギアに係合している第１の位置から、前記従動ギアから係合解除されている第２の位置に、移行可能である、請求項６７に記載の閉鎖機構。
【請求項６９】
前記駆動ギアは、前記係合解除位置に向けて付勢されている、請求項６８に記載の閉鎖機構。
【請求項７０】
少なくとも２つの弾性力機構を有するクロージャ用の、調整機構であって、
各々の前記弾性力機構に関連付けられた従動ギアであって、前記関連付けられた弾性力機構の張力を調整するように構成された従動ギアと、
前記弾性力機構の前記従動ギアに係合可能な少なくとも１つの駆動ギアであって、すべての前記弾性力機構の張力を同時に調整するように機能する少なくとも１つの駆動ギアと、を備える、クロージャ用調整機構。
【請求項７１】
前記少なくとも１つの駆動ギアの各々は、前記従動ギアに係合している第１の位置から、前記従動ギアから係合解除されている第２の位置に、移行可能である、請求項７０に記載のクロージャ用調整機構。
【請求項７２】
前記駆動ギアは、前記係合解除位置に向けて付勢されている、請求項７１に記載のクロージャ用調整機構。
【請求項７３】
細長ベースを有する閉鎖機構用の、サブアセンブリであって、
第１端および第２端を有する細長本体と、
前記第１端から前記第２端までの少なくとも一部に延在するキャリッジ軌道と、
前記キャリッジ軌道に沿って可動であるキャリッジであって、
他のサブアセンブリのリンク機構に連結するように機能する第１のリンク機構と、
他のサブアセンブリのリンク機構または対象物側トリガに連結するように機能する第２のリンク機構と、を有するキャリッジと、
当該少なくとも１つのさらなるサブアセンブリのそれぞれの前記第１端と前記キャリッジとを連結する弾性機構と、を備え、
当該サブアセンブリは、前記閉鎖機構内の少なくとも１つの他のサブアセンブリと協働するように構成されており、それらのサブアセンブリによって第１の方向に付与される最大力が、それらのサブアセンブリによって第２の反対方向に付与される最大力よりも大きいように、それらのサブアセンブリは、前記閉鎖機構の前記ベース内で構成される、閉鎖機構用サブアセンブリ。
【請求項７４】
添付図面を参照して前記で記載されたような、閉鎖機構。
【請求項７５】
添付図面を参照して前記で記載されたような、パネル用の閉鎖装置。
【発明の詳細な説明】
【技術分野】
【０００１】
本発明は、閉鎖機構に関し、より具体的には、ドア、パネル、または窓などのスライド対象物を位置決めするための閉鎖機構に関するものである。
【背景技術】
【０００２】
スライドドアを閉じるための装置、システム、および機構が知られている。電気的、磁気的、および機械的なドア閉鎖システムなど、ドアを閉じるための様々なシステムを利用できる。周知の機械的なスライドドア閉鎖装置は、スライドドアおよび閉鎖装置を開けるために、それに対応するドアを閉じるために要する大きな力が閉鎖装置によって付与され得ることで、大きな力が要求されることなど、様々な欠点がある。これは、特に重いドアの場合に言えることであり、機械式閉鎖装置がドアを自動的に閉じるために大きな力が必要となることで、ドアを開けて閉鎖装置をプライミングするために大きな力が必要となる。
【０００３】
本明細書において、スライド対象物は、スライドドア、スライドパネル、スライド窓、スライドドロワ、または通常は軌道上で、もしくは軌道に吊下されて、案内路に沿って第１の位置から第２の位置へスライドする他の任意の対象物、を含むものと理解されるべきである。スライド対象物は、ドアフレーム、パネルフレーム、窓フレーム、またはドロワフレームのようなフレームの範囲内でスライドし得る。閉鎖装置として記載しているものの、閉鎖とは、ある位置を指すものと理解されるべきである。
【０００４】
「ｃｏｍｐｒｉｓｅ（備える）」、「ｃｏｍｐｒｉｓｅｓ（備える）」、「ｃｏｍｐｒｉｓｉｎｇ（備えている）」という用語は、様々な権限の下で、排他的意味または包含的意味のいずれかに帰することができるものと認められる。本明細書の目的では、特に断りがない限り、これらの用語は、包含的意味を有するものとし、すなわち、列挙された構成要素の直接参照を用いた包含を意味するとともに、場合によっては、明示されていない他の構成要素または要素の包含をも意味するものと解釈される。
【０００５】
スライド対象物を閉じるときに閉鎖装置が付与することが可能な力よりも小さい力で、スライド対象物を開けるときに閉鎖装置をプライミングすることが可能であることが望ましいであろう。
【発明の概要】
【発明が解決しようとする課題】
【０００６】
よって、その機構によって付与される閉鎖力よりも小さい力で開けることが可能な閉鎖機構、または少なくとも一般もしくは当業界に向けて有用な選択肢を提供する閉鎖機構が求められている。
【課題を解決するための手段】
【０００７】
一実施形態では、本発明は、閉鎖機構にあり、この閉鎖機構は、
ベースと、
ベースに沿って可動であるキャリッジと、
キャリッジに沿って可動であるキャッチ機構と、
ベースとキャッチ機構とを連結する第１の弾性機構と、
キャリッジとキャッチ機構とを連結する第２の弾性機構と、を備える。
【０００８】
好ましくは、閉鎖機構は、キャッチ機構に連結されたリンク機構をさらに備え、第１の弾性機構は、リンク部材を介してキャッチ機構に連結する。
【０００９】
好ましくは、閉鎖機構は、リンク部材に連結可能なラッチ機構をさらに備え、第１の弾性機構は、ラッチ機構を介してリンク部材に連結する。
【００１０】
好ましくは、閉鎖機構は、ベースに沿った少なくとも一方向のキャッチ機構の動きを制動するための制動機構をさらに備える。
【００１１】
好ましくは、制動機構は、固定端および自由端を有し、制動機構の自由端は、キャッチ機構に連結されている。
【００１２】
好ましくは、第１の弾性機構は、少なくとも１つのバネである。
【００１３】
好ましくは、少なくとも１つのバネは、少なくとも２つのバネである。
【００１４】
好ましくは、第２の弾性機構は、少なくとも１つのバネである。
【００１５】
好ましくは、少なくとも１つのバネは、少なくとも２つのバネである。
【００１６】
好ましくは、閉鎖機構は、位置決め対象物を位置決めするように機能する。
【００１７】
好ましくは、閉鎖機構は、本体内で閉鎖対象物を閉じるように機能し、閉鎖機構のキャッチ機構は、閉鎖対象物を閉じるために、キャッチ用トリガと協働する。
【００１８】
好ましくは、閉鎖機構は、閉鎖対象物に固定されており、キャッチ用トリガは、本体に固定されている。
【００１９】
好ましくは、キャッチ用トリガは、閉鎖対象物に固定されており、閉鎖機構は、本体に固定されている。
【００２０】
好ましくは、閉鎖対象物は、ドア、窓、間仕切り、ゲート、ドロワからなる群から選択される。
【００２１】
好ましくは、本体は、フレームを含む。
【００２２】
好ましくは、閉鎖機構は、キャッチ機構に連結可能な少なくとも１つのさらなる弾性機構をさらに備える。
【００２３】
好ましくは、閉鎖機構は、すべての弾性力機構の張力を同時に調整するための弾性力調整機構をさらに備える。
【００２４】
好ましくは、弾性力調整機構は、
各々の弾性力機構に関連付けられた従動ギアであって、関連付けられた弾性力機構の張力を調整するように構成された従動ギアと、
それらの弾性力機構の従動ギアに係合可能な少なくとも１つの駆動ギアであって、すべての弾性力機構の張力を同時に調整するように機能する少なくとも１つの駆動ギアと、を有する。
【００２５】
好ましくは、少なくとも１つの駆動ギアの各々は、従動ギアに係合している第１の位置から、従動ギアから係合解除されている第２の位置に、移行可能である。
【００２６】
好ましくは、駆動ギアは、係合解除位置に向けて付勢されている。
【００２７】
さらなる実施形態では、本発明は、閉鎖機構にあり、この閉鎖機構は、
細長部材と、
細長部材に沿ってスライド可能なキャッチと、
キャッチが細長部材に沿ってスライドするときに、キャッチに力を付与するように機能する力付与機構と、を備え、
第１の方向に付与される最大力は、第２の反対方向に付与される最大力よりも大きい。
【００２８】
好ましくは、力付与機構は、少なくとも２つの弾性機構を含み、第１の方向には、少なくとも２つの弾性機構のすべては協働して力を付与し、第２の方向には、少なくとも２つの弾性機構の各々は別々に作用して、各々の弾性機構は、第２の方向のスライドの一部のみのための力を付与する。
【００２９】
好ましくは、閉鎖機構は、キャッチに対して第１の方向に付与される力を減衰させるように機能するダンパをさらに備える。
【００３０】
好ましくは、閉鎖機構は、位置決め対象物を位置決めするように機能する。
【００３１】
好ましくは、閉鎖機構は、すべての弾性力機構の張力を同時に調整するための弾性力調整機構をさらに備える。
【００３２】
好ましくは、弾性力調整機構は、
各々の弾性力機構に関連付けられた従動ギアであって、関連付けられた弾性力機構の張力を調整するように構成された従動ギアと、
それらの弾性力機構の従動ギアに係合可能な少なくとも１つの駆動ギアであって、すべての弾性力機構の張力を同時に調整するように機能する少なくとも１つの駆動ギアと、を有する。
【００３３】
好ましくは、少なくとも１つの駆動ギアの各々は、従動ギアに係合している第１の位置から、従動ギアから係合解除されている第２の位置に、移行可能である。
【００３４】
好ましくは、駆動ギアは、係合解除位置に向けて付勢されている。
【００３５】
さらなる実施形態では、本発明は、パネル用の閉鎖装置にあり、このパネル用閉鎖装置は、
ベースであって、
第１端および第２端と、
ベースの第１端から第２端までの少なくとも一部に延在する案内路と、を有するベースと、
第１の案内路に沿って可動であるキャリッジであって、
第１端および第２端と、
キャリッジの第１端から第２端までの少なくとも一部に延在するキャリッジ案内路と、を有するキャリッジと、
キャリッジ案内路に沿って可動であるキャッチ機構と、
第１端および第２端を有する連結リンクであって、この連結リンクの第２端に、キャッチ機構が連結されている、連結リンクと、
第１の弾性機構と、
連結リンクの第１端に連結可能なリンケージキャッチ機構であって、このリンケージキャッチ機構を介して第１の弾性機構は連結リンクに連結している、リンケージキャッチ機構と、
キャリッジの第１端とキャッチ機構とを連結している第２の弾性機構と、
ベースの第１端に向かって動くときのキャッチ機構の動きを制動するための制動機構と、を備える。
【００３６】
好ましくは、パネル用閉鎖装置は、キャッチ機構に連結可能な少なくとも１つの第３の弾性機構をさらに備える。
【００３７】
好ましくは、制動機構は、固定端および自由端を有し、制動機構の自由端は、リンケージキャッチ機構に連結されている。
【００３８】
好ましくは、パネルはドアである。
【００３９】
好ましくは、パネルは窓である。
【００４０】
好ましくは、パネルは、フレーム内に取り付けられており、フレームにはキャッチ用トリガが装着されており、この閉鎖装置は、パネルに装着されている。
【００４１】
好ましくは、パネルは、フレーム内に取り付けられており、パネルにはキャッチ用トリガが装着されており、この閉鎖装置は、フレームに装着されている。
【００４２】
好ましくは、閉鎖装置は、パネルを位置決めするように機能する。
【００４３】
好ましくは、パネル用閉鎖装置は、すべての弾性力機構の張力を同時に調整するための弾性力調整機構をさらに備える。
【００４４】
好ましくは、弾性力調整機構は、
各々の弾性力機構に関連付けられた従動ギアであって、関連付けられた弾性力機構の張力を調整するように構成された従動ギアと、
それらの弾性力機構の従動ギアに係合可能な少なくとも１つの駆動ギアであって、すべての弾性力機構の張力を同時に調整するように機能する少なくとも１つの駆動ギアと、を有する。
【００４５】
好ましくは、少なくとも１つの駆動ギアの各々は、従動ギアに係合している第１の位置から、従動ギアから係合解除されている第２の位置に、移行可能である。
【００４６】
好ましくは、駆動ギアは、係合解除位置に向けて付勢されている。
【００４７】
さらなる実施形態では、本発明は、スライド対象物用の構成可能な制御機構にあり、このスライド対象物用の構成可能な制御機構は、
サブアセンブリを収容する細長ベースであって、第１端および第２端を有する細長ベースと、
第１端および第２端を有する少なくとも２つの細長サブアセンブリであって、これらの細長サブアセンブリはベース内に設置可能であり、細長サブアセンブリの第１端および第２端は、細長ベースの第１端および第２端と略アライメントされており、少なくとも２つのサブアセンブリは、弾性力機構と制動機構とを含む群から選択されるものであり、それらのサブアセンブリの各々は、
サブアセンブリの第１端から第２端までの少なくとも一部に延在する軌道と、
その軌道に沿って可動であるキャリッジであって、キャリッジは少なくとも１つの連結機構を有し、少なくとも１つの連結機構の各々は、１つのサブアセンブリを他の１つのサブアセンブリまたはキャッチ機構に連結するように機能する、キャリッジと、を有する少なくとも２つの細長サブアセンブリと、を備える。
【００４８】
好ましくは、サブアセンブリが選択される群は、他の装置を制御するように機能する機械的スイッチング機構、電気的スイッチング機構、ロック機構、電動制御機構、多目的サブアセンブリをさらに含む。
【００４９】
好ましくは、スライド対象物はパネルである。
【００５０】
好ましくは、パネルは窓である。
【００５１】
好ましくは、パネルはドアである。
【００５２】
好ましくは、スライド対象物は、フレーム内に取り付けられており、フレームにはキャッチ用トリガが装着されており、構成可能な制御機構は、パネルに装着されている。
【００５３】
好ましくは、パネルは、フレーム内に取り付けられており、パネルにはキャッチ用トリガが装着されており、構成可能な制御機構は、フレームに装着されている。
【００５４】
好ましくは、少なくとも２つの細長サブアセンブリは、少なくとも３つのサブアセンブリであり、少なくとも３つのサブアセンブリのうちの少なくとも２つは、弾性力機構であり、第１の方向に付与される最大力は、第２の反対方向に付与される最大力よりも大きい。
【００５５】
好ましくは、少なくとも２つの細長サブアセンブリは、少なくとも３つのサブアセンブリであり、少なくとも３つのサブアセンブリのうちの少なくとも２つは、弾性力機構であり、第１の移動方向には、少なくとも２つの弾性力機構のすべては協働して力を付与し、第２の方向には、少なくとも２つの弾性力機構の各々は別々に作用して、各々の弾性力機構は、第２の方向のスライドの一部のみのための力を付与する。
【００５６】
好ましくは、スライド対象物用の構成可能な制御機構は、すべての弾性力機構の張力を同時に調整するための弾性力調整機構をさらに備える。
【００５７】
好ましくは、弾性力調整機構は、
各々の弾性力機構に関連付けられた従動ギアであって、関連付けられた弾性力機構の張力を調整するように構成された従動ギアと、
それらの弾性力機構の従動ギアに係合可能な少なくとも１つの駆動ギアであって、すべての弾性力機構の張力を同時に調整するように機能する少なくとも１つの駆動ギアと、を有する。
【００５８】
好ましくは、少なくとも１つの駆動ギアの各々は、従動ギアに係合している第１の位置から、従動ギアから係合解除されている第２の位置に、移行可能である。
【００５９】
好ましくは、駆動ギアは、係合解除位置に向けて付勢されている。
【００６０】
さらなる実施形態では、本発明は、前の実施形態の細長ベースおよびサブアセンブリを含む、スライド対象物用のキットセット制御機構にある。
【００６１】
さらなる実施形態では、本発明は、閉鎖機構にあり、この閉鎖機構は、
細長ベースであって、
第１端および第２端と、
ベースの第１端から第２端までの少なくとも一部に延在する案内路と、を有する細長ベースと、
概ね第１端で案内路内に固定された第１のサブアセンブリであって、
ベースの第１端および第２端と略同じ方向にある第１端および第２端と、
第１のサブアセンブリの第１端から第２端までの少なくとも一部に延在するキャリッジ軌道と、
キャリッジ軌道に沿って可動であるキャリッジであって、
他のサブアセンブリのリンク機構に連結するように機能するリンク機構を含む、キャリッジと、
第１のサブアセンブリの第１端とキャリッジとを連結する弾性機構と、を有する第１のサブアセンブリと、
第１のサブアセンブリに平行な案内路に沿って、案内路の第１端から第２端までスライド可能である第２のサブアセンブリであって、
ベースの第１端および第２端と略同じ方向にある第１端および第２端と、
第１端から第２端までの少なくとも一部に延在するキャリッジ軌道と、
キャリッジ軌道に沿って可動であるキャリッジであって、
他のサブアセンブリのリンク機構に連結するように機能するリンク機構と、
キャッチ機構と、を含むキャリッジと、
第２のサブアセンブリの第１端とキャリッジとを連結する弾性機構と、を有する第２のサブアセンブリと、を備える。
【００６２】
好ましくは、閉鎖機構は、ベースに沿った少なくとも一方向のキャッチ機構の動きを制動するための制動サブアセンブリをさらに備える。
【００６３】
好ましくは、制動機構は、固定端および自由端を有し、制動機構の自由端は、キャッチ機構に連結されている。
【００６４】
好ましくは、サブアセンブリの弾性機構は、少なくとも１つのバネである。
【００６５】
好ましくは、少なくとも１つのバネは、少なくとも２つのバネである。
【００６６】
好ましくは、閉鎖機構は、位置決め対象物を位置決めするように機能する。
【００６７】
好ましくは、閉鎖機構は、本体内で閉鎖対象物を閉じるように機能し、閉鎖機構のキャッチ機構は、閉鎖対象物を閉じるために、キャッチ用トリガと協働する。
【００６８】
好ましくは、閉鎖機構は、閉鎖対象物に固定されており、キャッチ用トリガは、本体に固定されている。
【００６９】
好ましくは、キャッチ用トリガは、閉鎖対象物に固定されており、閉鎖機構は、本体に固定されている。
【００７０】
好ましくは、閉鎖対象物は、ドア、窓、間仕切り、ゲート、パネル、ドロワからなる群から選択される。
【００７１】
好ましくは、閉鎖機構は、他のサブアセンブリに平行な案内路に沿ってスライド可能な少なくとも１つのさらなるサブアセンブリをさらに備え、少なくとも１つのさらなるサブアセンブリの各々は、案内路の第１端から、少なくとも１つのさらなるサブアセンブリにそれぞれ関連付けられた案内路内のストッパまでスライド可能であり、少なくとも１つのさらなるサブアセンブリの各々は、
ベースの第１端および第２端と略同じ方向にある第１端および第２端と、
第１端から第２端までの少なくとも一部に延在するキャリッジ軌道と、
キャリッジ軌道に沿って可動であるキャリッジであって、
他のサブアセンブリのリンク機構に連結するように機能する第１のリンク機構と、
他のサブアセンブリのリンク機構に連結するように機能する第２のリンク機構と、を含むキャリッジと、
少なくとも１つのさらなるサブアセンブリのそれぞれの第１端とキャリッジとを連結する弾性機構と、を有する。
【００７２】
好ましくは、閉鎖機構は、すべての弾性力機構の張力を同時に調整するための弾性力調整機構をさらに備える。
【００７３】
好ましくは、弾性力調整機構は、
各々の弾性力機構に関連付けられた従動ギアであって、関連付けられた弾性力機構の張力を調整するように構成された従動ギアと、
それらの弾性力機構の従動ギアに係合可能な少なくとも１つの駆動ギアであって、すべての弾性力機構の張力を同時に調整するように機能する少なくとも１つの駆動ギアと、を有する。
【００７４】
好ましくは、少なくとも１つの駆動ギアの各々は、従動ギアに係合している第１の位置から、従動ギアから係合解除されている第２の位置に、移行可能である。
【００７５】
好ましくは、駆動ギアは、係合解除位置に向けて付勢されている。
【００７６】
さらなる実施形態では、本発明は、少なくとも２つの弾性力機構を有するクロージャ用の、調整機構にあり、この弾性力調整機構は、
各々の弾性力機構に関連付けられた従動ギアであって、関連付けられた弾性力機構の張力を調整するように構成された従動ギアと、
それらの弾性力機構の従動ギアに係合可能な少なくとも１つの駆動ギアであって、すべての弾性力機構の張力を同時に調整するように機能する少なくとも１つの駆動ギアと、を備える。
【００７７】
好ましくは、少なくとも１つの駆動ギアの各々は、従動ギアに係合している第１の位置から、従動ギアから係合解除されている第２の位置に、移行可能である。
【００７８】
好ましくは、駆動ギアは、係合解除位置に向けて付勢されている。
【００７９】
さらなる実施形態では、本発明は、細長ベースを有する閉鎖機構用の、サブアセンブリにあり、サブアセンブリは、
第１端および第２端を有する細長本体と、
第１端から第２端までの少なくとも一部に延在するキャリッジ軌道と、
キャリッジ軌道に沿って可動であるキャリッジであって、
他のサブアセンブリのリンク機構に連結するように機能する第１のリンク機構と、
他のサブアセンブリのリンク機構または対象物側トリガに連結するように機能する第２のリンク機構と、を有するキャリッジと、
少なくとも１つのさらなるサブアセンブリのそれぞれの第１端とキャリッジとを連結する弾性機構と、を備え、
サブアセンブリは、閉鎖機構内の少なくとも１つの他のサブアセンブリと協働するように構成されており、それらのサブアセンブリによって第１の方向に付与される最大力が、それらのサブアセンブリによって第２の反対方向に付与される最大力よりも大きいように、それらのサブアセンブリは、閉鎖機構のベース内で構成される。
【００８０】
本発明の実施形態について、単なる例として、添付の図面を参照して以下で説明する。
【図面の簡単な説明】
【００８１】
【図１】図１は、閉鎖機構の図である。
【図２】図２は、閉鎖機構の部分組立図である。
【図３】図３は、閉鎖機構のキャリッジサブアセンブリの組立図である。
【図４】図４は、ラッチ係合状態を示す位置にある閉鎖機構の図である。
【図４Ａ】図４Ａは、ラッチ係合状態を示す位置にある図４の閉鎖機構の「Ａ」部分の拡大図である。
【図５】図５は、ラッチ係合解除状態を示す位置にある閉鎖機構の図である。
【図５Ａ】図５Ａは、ラッチ係合解除状態を示す位置にある図５の閉鎖機構の「Ａ」部分の拡大図である。
【図６】図６は、ドア、およびドアに取り付けられた閉鎖機構の図である。
【図６Ａ】図６Ａは、ドアに取り付けられた図６の閉鎖機構の「Ａ」部分の正面部分断面図である。
【図７】図７は、全閉位置にある機構を示す、閉鎖機構の正面図である。
【図７Ａ】図７Ａは、全閉位置にある機構を示す、図７の閉鎖機構の「Ａ」部分の拡大図である。
【図８】図８は、第１の部分開位置にある機構を示す、閉鎖機構の正面図である。
【図８Ａ】図８Ａは、第１の部分開位置にある機構を示す、図８の閉鎖機構の「Ａ」部分の拡大図である。
【図９】図９は、全開位置にある機構を示す、閉鎖機構の正面図である。
【図９Ａ】図９Ａは、全開位置にある機構を示す、図９の閉鎖機構の「Ａ」部分の拡大図である。
【図１０】図１０は、第１の部分閉位置にある機構を示す、閉鎖機構の正面図である。
【図１０Ａ】図１０Ａは、第１の部分閉位置にある機構を示す、図１０の閉鎖機構の「Ａ」部分の拡大図である。
【図１１】図１１は、第２の部分閉位置にある機構を示す、閉鎖機構の正面図である。
【図１１Ａ】図１１Ａは、第２の部分閉位置にある機構を示す、図１１の閉鎖機構の「Ａ」部分の拡大図である。
【図１２】図１２は、第３の部分閉位置にある機構を示す、閉鎖機構の正面図である。
【図１２Ａ】図１２Ａは、第３の部分閉位置にある機構を示す、図１２の閉鎖機構の「Ａ」部分の拡大図である。
【図１３】図１３は、全閉位置にある機構を示す、閉鎖機構の上面図である。
【図１４】図１４は、第１の部分開位置にある機構を示す、閉鎖機構の上面図である。
【図１５】図１５は、全開位置にある機構を示す、閉鎖機構の上面図である。
【図１６】図１６は、第１の部分閉位置にある機構を示す、閉鎖機構の上面図である。
【図１７】図１７は、第２の部分閉位置にある機構を示す、閉鎖機構の上面図である。
【図１８】図１８は、全開位置にある、３組の弾性部材を有する代替的な閉鎖機構の上面図である。
【図１９】図１９は、全閉位置にある、３組の弾性部材を有する代替的な閉鎖機構の上面図である。
【図２０】図２０は、調整可能な弾性機構を有する閉鎖機構の代替実施形態の図であり、係合解除状態であるとともに、最小張力を付与するように調整された調整機構を示している。
【図２０Ａ】図２０Ａは、係合解除状態であるとともに、最小張力を付与するように調整された調整機構を示す、図２０の閉鎖機構の「Ａ」部分の拡大図である。
【図２０Ｂ】図２０Ｂは、係合解除状態であるとともに、最小張力を付与するように調整された調整機構を示す、図２０の閉鎖機構の「Ｂ」部分の拡大図である。
【図２１】図２１は、調整可能な弾性機構を有する閉鎖機構の代替実施形態の図であり、係合状態であるとともに、最小張力を付与するように調整された調整機構を示している。
【図２１Ａ】図２１Ａは、係合状態であるとともに、最小張力を付与するように調整された調整機構を示す、図２１の閉鎖機構の「Ａ」部分の拡大図である。
【図２１Ｂ】図２１Ｂは、係合状態であるとともに、最小張力を付与するように調整された調整機構を示す、図２１の閉鎖機構の「Ｂ」部分の拡大図である。
【図２２】図２２は、調整可能な弾性機構を有する閉鎖機構の代替実施形態の図であり、係合解除状態であるとともに、最大張力を付与するように調整された調整機構を示している。
【図２２Ａ】図２２Ａは、係合解除状態であるとともに、最大張力を付与するように調整された調整機構を示す、図２２の閉鎖機構の「Ａ」部分の拡大図である。
【図２２Ｂ】図２２Ｂは、係合解除状態であるとともに、最大張力を付与するように調整された調整機構を示す、図２２の閉鎖機構の「Ｂ」部分の拡大図である。
【図２３】図２３は、調整可能な弾性機構を有する閉鎖機構の代替実施形態の図であり、係合状態であるとともに、最大張力を付与するように調整された調整機構を示している。
【図２３Ａ】図２３Ａは、係合状態であるとともに、最大張力を付与するように調整された調整機構を示す、図２３の閉鎖機構の「Ａ」部分の拡大図である。
【図２３Ｂ】図２３Ｂは、係合状態であるとともに、最大張力を付与するように調整された調整機構を示す、図２３の閉鎖機構の「Ｂ」部分の拡大図である。
【図２４】図２４は、代替実施形態の閉鎖機構の部分組立図である。
【図２５】図２５は、代替実施形態の閉鎖機構のキャリッジサブアセンブリの組立図である。
【図２６】図２６は、全閉位置にある機構を示す、代替実施形態の閉鎖機構の上面図である。
【図２６Ａ】図２６Ａは、全閉位置にある機構を示す、図２６の閉鎖機構の「Ａ」部分の拡大図である。
【図２７】図２７は、第１の部分開位置にある機構を示す、代替実施形態の閉鎖機構の上面図である。
【図２７Ａ】図２７Ａは、第１の部分開位置にある機構を示す、図２７の閉鎖機構の「Ａ」部分の拡大図である。
【図２８】図２８は、全開位置にある機構を示す、代替実施形態の閉鎖機構の上面図である。
【図２８Ａ】図２８Ａは、全開位置にある機構を示す、図２８の閉鎖機構の「Ａ」部分の拡大図である。
【図２８Ｂ】図２８Ｂは、全開位置にある機構を示す、図２８の閉鎖機構の「Ｂ」部分の拡大図である。
【図２９】図２９は、第１の部分閉位置にある機構を示す、代替実施形態の閉鎖機構の上面図である。
【図２９Ａ】図２９Ａは、第１の部分閉位置にある機構を示す、図２９の閉鎖機構の「Ａ」部分の拡大図である。
【図３０】図３０は、第２の部分閉位置にある機構を示す、代替実施形態の閉鎖機構の上面図である。
【図３０Ａ】図３０Ａは、第２の部分閉位置にある機構を示す、図３０の閉鎖機構の「Ａ」部分の拡大図である。
【図３１】図３１は、代替実施形態の閉鎖機構の図である。
【図３２】図３２は、代替実施形態の閉鎖機構の部分組立図である。
【図３３】図３３は、代替実施形態の閉鎖機構のサブアセンブリの組立図である。
【図３４】図３４は、ラッチ係合状態を示す位置にある、代替実施形態の閉鎖機構の部分図である。
【図３４Ａ】図３４Ａは、ラッチ係合状態を示す位置にある、図３４の閉鎖機構の「Ａ」部分の拡大図である。
【図３５】図３５は、全閉位置にある機構を示す、代替実施形態の閉鎖機構の部分図である。
【図３６】図３６は、第１の部分開位置にある機構を示す、代替実施形態の閉鎖機構の部分図である。
【図３７】図３７は、第２の部分開位置にある機構を示す、代替実施形態の閉鎖機構の部分図である。
【図３８】図３８は、全開位置にある機構を示す、代替実施形態の閉鎖機構の部分図である。
【図３９】図３９は、第１の部分閉位置にある機構を示す、代替実施形態の閉鎖機構の部分図である。
【図４０】図４０は、第２の部分閉位置にある機構を示す、代替実施形態の閉鎖機構の部分図である。
【図４１】図４１は、調整可能な弾性機構を有する閉鎖機構の代替実施形態の図であり、係合解除状態であるとともに、最大張力を付与するように調整された調整機構を示している。
【図４２】図４２は、調整可能な弾性機構を有する閉鎖機構の代替実施形態の図であり、係合状態であるとともに、最大張力を付与するように調整された調整機構を示している。
【図４３】図４３は、調整可能な弾性機構を有する閉鎖機構の代替実施形態の図であり、係合状態であるとともに、最小張力を付与するように調整された調整機構を示している。
【図４４】図４４は、調整可能な弾性機構を有する閉鎖機構の代替実施形態の正面図であり、係合状態であるとともに、最小張力を付与するように調整された調整機構を示している。
【図４５】図４５は、調整可能な弾性機構を有する閉鎖機構の代替実施形態の正面図であり、係合状態であるとともに、最大張力を付与するように調整された調整機構を示している。
【発明を実施するための形態】
【００８２】
図６および６Ａを参照すると、フレーム３１内にスライド可能に取り付けられたドア３０の範囲内に、閉鎖機構１を示している。閉鎖機構１は、ドア３０の頂部に取り付けられるものとして示しているが、閉鎖機構１をドア３０の底部に取り付けることができ、または閉鎖機構１をフレーム３１の頂部３２またはフレーム３１の底部３３のいずれかに取り付けることができることは、理解されるべきである。
【００８３】
図１〜３を参照すると、本発明の閉鎖機構１を示している。閉鎖機構１は、細長い閉鎖機構本体２を備える。閉鎖機構本体２は、上側の閉鎖機構本体１１と下側の閉鎖機構本体１３で構成される。閉鎖機構１は、使用時にスライド対象物が閉じるように動く方向に位置する第１端１８と、使用時にスライド対象物が開くように動く方向に位置する第２端１７と、を有する。
【００８４】
閉鎖機構本体２に沿って、キャリッジ３が軌道または案内路１４を移動可能である。キャリッジ３内で、キャッチ機構またはキャッチ９がスライド可能である。使用時に、キャッチ機構９は、トリガ１０をキャッチする。閉鎖機構１がスライド対象物に取り付けられる場合には、トリガ１０はフレームに取り付けられる。しかしながら、上述のように、閉鎖機構はフレーム上またはフレーム内に取り付けることができるので、トリガ１０はスライド対象物に取り付けることができる。
【００８５】
第１の弾性機構６は、閉鎖機構１の閉端１８に連結しており、第１の弾性機構６の他端は、リンケージキャッチ機構８に連結している。第１の弾性機構６は、閉鎖力を付与するように機能する。リンケージキャッチ機構８は、閉鎖機構本体２内の軌道または案内路１６に沿って可動であるとともに、リンケージ１２に連結可能である。
【００８６】
制動機構シャフト４１を有する制動機構４が、閉鎖機構１の第１端１８に配置されており、これは、一実施形態では負荷に応じて調整可能である。制動機構シャフト４１は、リンケージキャッチ機構８に連結されており、閉位置に動くときの可動対象物を制動するように機能する。
【００８７】
キャリッジ３は、閉鎖機構本体２内の軌道または案内路１４をスライド可能である。キャリッジ３は、上側本体２１と下側本体２３とを有する。キャリッジ３は、閉鎖機構１の閉端１８に最も近い第１端２０と、閉鎖機構１の開端１７に最も近い第２端１９と、を有する。キャリッジ３は、キャリッジ上キャッチ用軌道または案内路２４を有し、これに沿ってキャッチ機構９がスライドする。使用時に、キャッチ機構９は、トリガ１０をキャッチする。キャッチ機構９は、リンケージ１２に連結されている。キャッチ機構９とキャリッジ３の第１端２０との間を、第２の弾性機構２２が連結している。第２の弾性機構２２は、閉鎖力を付与するように機能する。リンケージ１２は、リンケージキャッチ８とキャッチ機構９とを連結する。
【００８８】
図４、４Ａ、５、５Ａを参照して、ラッチ１５は、キャリッジ３を軌道または案内路１４上で第１端１８に向かって移動できる最大限の位置に固定するのを助ける。図４Ａに示すように、キャリッジが第１端１８に向かって軌道１４を移動できる範囲を越えた位置にあるときに、ラッチ１５は、キャリッジ３が所定位置に留まることを支援する力を、キャリッジ３に付与する。図５Ａを参照して、キャッチ機構９が、第１端１８に向かって軌道２４を移動できる最大限の位置に達すると、ラッチ１５はキャッチ機構９によって押し下げられて、キャリッジ３は軌道１４を移動できるようになる。
【００８９】
弾性機構６および２２は、バネであってよく、またはラバースプリングのような他の適切な弾性機構であってよい。一実施形態では、弾性機構６および２２のそれぞれは、一対のバネで構成される。
【００９０】
閉鎖機構本体２および他の構成要素は、プラスチックまたは金属または他の適切な材料で構成してよい。軌道１４、１６、２４は、閉鎖機構１のスライド部品に対して低抵抗であることが好ましい。
【００９１】
図７〜１７を参照して、閉鎖機構１の動作について以下で説明する。特に図７、７Ａ、１３を参照して、閉位置から開始し、このとき、キャッチ機構９は、キャリッジ用軌道または案内路１４の第１端２０に最も近づいており、キャリッジ３は、軌道または案内路１４において閉鎖機構１の閉端１８に最も近づいている。弾性機構６および２２は、両方とも弛緩位置にある。制動機構シャフト４１は、概ね制動機構４の本体内にある。リンケージキャッチ８は、リンケージ１２に連結されている。ラッチ１５はキャッチ機構９によって押し下げられており、キャリッジ３は軌道１４を移動することが可能である。
【００９２】
弾性機構６および２２は、それらがキャッチ機構９に力をほとんど付与していないときには、弛緩位置にあると記述され、キャッチ機構９に力を付与することが可能であるときには、プライミング位置または伸張位置にあると記述される。
【００９３】
使用時には、可動対象物を開けるときに、キャッチ機構９がトリガ１０を保持し、トリガ１０が閉鎖機構１の開端１７に向かって移動するにつれて、第１の弾性機構６は、伸張／プライミング位置に伸張されて、制動機構シャフト４１は伸張される。
【００９４】
図８、８Ａ、１４を参照して、第１の弾性機構６および制動機構シャフト４１は、リンケージキャッチ８に連結されており、そしてリンケージキャッチ８は次に、リンケージ１２を介してキャッチ機構９に連結されているので、第１の弾性機構６および制動機構シャフト４１は伸張される。従って、リンケージキャッチ８がリンケージキャッチ用軌道または案内路１６に沿って閉鎖機構本体２の開端に向かって移動するにつれて、第１の弾性機構６および制動機構シャフト４１は伸張される。
【００９５】
また、バネ式ラッチ１５から解放されているキャリッジ３も、キャリッジ用軌道または案内路１４に沿って、閉鎖機構１の開端１７に最も近いキャリッジ用軌道または案内路１４の端まで移動する。この段階では、閉鎖機構は、第１の弾性機構６が伸張したのみで、第２の弾性機構２２は全く伸張されていない。第１の弾性機構６および制動機構シャフト４１を伸張させるのに足りる力が必要であるにすぎない。第２の弾性機構２２は同時には伸張されないので、第２の弾性機構２２に力は全く作用していない。
【００９６】
トリガ１０が閉鎖機構１の開端１７に向かってさらに移動するにつれて、リンケージキャッチ８はリンケージ１２から係合解除されて、キャッチ機構９は、閉鎖機構本体の第２端に向かって軌道または案内路２４をスライドする。第１の弾性機構６および制動機構シャフト４１は、リンケージキャッチ８によって保持される伸張位置に留まる。
【００９７】
図９、９Ａ、１５を参照して、トリガ１０が閉鎖機構１の開端１７に向かって移動するにつれて、キャッチ機構９は、キャリッジ用軌道または案内路１４に沿って動き、第２の弾性機構２２を伸張させる。トリガ１０が、閉位置から離れるようにさらに移動すると、キャッチ機構９はトリガを解放して、キャッチ機構９は、第２の弾性機構２２を伸張位置に保持する。このとき、第２の弾性機構２２が伸張される一方で、第１の弾性機構６は伸張されないので、第１の弾性機構６に力は全く作用しておらず、従って、閉鎖機構１を開ける／プライミングするのに、閉鎖からの全力は必要とされていない。
【００９８】
図９、９Ａ、１５に示す開位置から、使用時にパネルを閉鎖機構１の閉端１８に向かって動かすと、トリガ１０がキャッチ機構９に連結する。リンケージ１２がリンケージキャッチ８に連結するとともに、ラッチ１５が、軌道１４に沿ったキャリッジ行程の端１８の方向に最大限の位置でキャリッジ３を保持するように作用するまで、図１０、１０Ａ、１６に示すように、キャリッジ３は、キャリッジ用軌道または案内路１４に沿ってスライドする。
【００９９】
この段階では、第１の弾性部材６および第２の弾性部材２２は、完全に伸張したままである。次いで、リンケージ１２がリンケージキャッチ８に連結すると、第１の弾性部材６と第２の弾性部材２２は、同時に圧縮／閉鎖を開始して、両方の弾性機構６、２２の力を同時に付与する。制動機構シャフト４１は、制動機構４内で動いて、パネルが閉じるときの制動力を付与する。これを、図１１、１１Ａ、１２、１２Ａ、１７に示している。キャッチ機構９が図７、７Ａ、１３に示す閉位置に戻って、キャッチ機構９によってラッチ１５が押し下げられ、キャリッジ３が軌道１４を移動できるようになるまでは、図１２および１２Ａに示すように、ラッチ１５は、依然としてキャリッジ３を所定位置に固定するように機能する。
【０１００】
本発明のさらなる実施形態を、図１８および１９に示している。図１８および１９に示す閉鎖機構１は、追加の第３の弾性機構７１と、第２のキャリッジ用軌道または案内路７４に沿ってスライド可能な第２のキャリッジ７３と、第２のキャリッジ用軌道または案内路７４と、第２のリンケージ７５と、を備える。パネルを開けるときに閉鎖機構をプライミングするために、対象物の閉鎖からの力のおよそ３分の１を使うことが、追加の弾性機構７１によって可能となる。第３の追加の弾性機構を図示しているが、任意の数の追加の弾性機構を使用できることは理解されるべきである。さらに、開放時に複数の弾性機構を同時に伸張／プライミングすることもあり得る。例えば、４つの弾性機構を使用する場合には、それらの弾性機構のうちの２つを同時に伸張／プライミングし得る一方、閉鎖時にはパネルを閉じるために４つすべての力を利用することがあり得る。
【０１０１】
本発明のさらなる実施形態を、図２０〜２３に示している。閉鎖機構１は、弾性機構６、２２の予張力の調整を可能とするための調整機構を備える。この調整は、キャリッジ３の第１端２０が、軌道または案内路１４上で第１端１８に向かって移動できる最大限の位置にあるときに実施される。
【０１０２】
弾性機構６、２２は、テンションブロック５４、５８に連結されている。テンションブロック５４、５８は、雌ネジ部を有し、ネジ切りロッド５１、５７に沿って、このロッドの回転に伴って動き、このテンションブロック５４、５８の動きによって、弾性機構６、２２の張力を調整する。図２０、２０Ａ、２０Ｂ、２１、２１Ａ、２１Ｂに、最小張力を示している。テンションブロック５４、５８によって弾性機構６、２２が伸張されている図２２、２２Ａ、２２Ｂ、２３、２３Ａ、２３Ｂに、最大張力を示している。
【０１０３】
ネジ切りロッド５１、５７は、ロッド５１、５７を回転させる従動ギア５０、５６を有する。従動ギア５０、５６は、駆動ギア５２、５５によって駆動される。駆動ギア５２、５５は、回転シャフト５９によって連結されている。
【０１０４】
回転シャフト５９ひいては駆動ギアは、シャフト端４９に工具を用いて回転させる。一実施形態ではバネである弾性機構５３によって、駆動ギア５２、５５が従動ギア５０、５６から係合解除される位置にシャフトを押しやる。これを、図２０、２０Ａ、２０Ｂ、２２、２２Ａ、２２Ｂに示している。
【０１０５】
張力を調整するために、典型的には工具を用いて弾性機構５３を押しやり、図２１、２１Ａ、２１Ｂ、２３、２３Ａ、２３Ｂに示すように、駆動ギア５２、５５を従動ギア５０、５６に係合させる。これにより、両方の弾性機構６、２２の張力を同時に、かつ同等に調整することが可能である。
【０１０６】
この同時調整によって、操作者がドアを開けるときに、弾性機構が伸張する際に、弾性機構の第２のセット（および存在する場合の後続のセット）を開くときに感じるのと「同じ量を感じる」ことが確保されて、開放中に一貫した感覚が得られる。弾性機構ごとの調整に違いがある（すなわち、ある弾性機構セットは強く、他の弾性機構セットは弱い）場合、それでも閉鎖機構は機能する（ドアは閉じる）であろうが、開放中の閉鎖機構の操作者は、一貫していない不均等な感覚を覚えることになる。さらに、弾性機構セット間に調整の違いがあることによって、閉鎖機構が機能するように調整できる力の範囲が狭まる（すなわち、閉鎖機構を、極めて動きが鈍いドアまたは極めて自由に動くドアにそれぞれ適合させるために、絶対最大限度または絶対最小限度に調整することができない）。
【０１０７】
図２４および２５は、弾性機構６、２２の予張力の調整を可能とするための調整機構を備えた閉鎖機構の代替実施形態を示している。代替的なラッチ１５’を示している。
【０１０８】
図２６〜３０を参照して、代替的な閉鎖機構１の動作について以下で説明する。特に図２６および２６Ａを参照して、閉位置から開始し、このとき、キャッチ機構９は、キャリッジ上軌道または案内路２４の第１端２０に最も近づいており、キャリッジ３は、軌道または案内路１４において閉鎖機構１の閉端１８に最も近づいている。弾性機構６および２２は、両方とも弛緩位置にある。リンケージキャッチ８は、リンケージ１２に連結されている。ラッチ１５’はキャッチ機構９によって押し離されており、キャリッジ３は軌道１４を移動することが可能である。
【０１０９】
弾性機構６および２２は、それらがキャッチ機構９に力をほとんど付与していないときには、弛緩位置にあると記述され、キャッチ機構９に力を付与することが可能であるときには、プライミング位置または伸張位置にあると記述される。
【０１１０】
使用時には、可動対象物を開けるときに、キャッチ機構９がトリガ１０を保持し、トリガ１０が閉鎖機構１の開端１７に向かって移動するにつれて、第１の弾性機構６は、伸張／プライミング位置に伸張されて、制動機構シャフト４１は伸張される。
【０１１１】
図２７および２７Ａを参照して、第１の弾性機構６および制動機構シャフト４１は、リンケージキャッチ８に連結されており、そしてリンケージキャッチ８は次に、リンケージ１２を介してキャッチ機構９に連結されているので、第１の弾性機構６および制動機構シャフト４１は伸張される。従って、リンケージキャッチ８がリンケージキャッチ用軌道または案内路１６に沿って閉鎖機構本体２の開端に向かって移動するにつれて、第１の弾性機構６および制動機構シャフト４１は伸張される。
【０１１２】
また、バネ式ラッチ１５’から解放されているキャリッジ３も、キャリッジ用軌道または案内路１４に沿って、閉鎖機構１の開端１７に最も近いキャリッジ用軌道または案内路１４の端まで移動する。この段階では、閉鎖機構は、第１の弾性機構６が伸張したのみで、第２の弾性機構２２は全く伸張されていない。第１の弾性機構６および制動機構シャフト４１を伸張させるのに足りる力が必要であるにすぎない。第２の弾性機構２２は同時には伸張されないので、第２の弾性機構２２に力は全く作用していない。
【０１１３】
トリガ１０が閉鎖機構１の開端１７に向かってさらに移動するにつれて、リンケージキャッチ８はリンケージ１２から係合解除されて、キャッチ機構９は、閉鎖機構本体の第２端に向かって軌道または案内路２４をスライドする。第１の弾性機構６および制動機構シャフト４１は、リンケージキャッチ８によって保持される伸張位置に留まる。
【０１１４】
図２８、２８Ａ、２８Ｂを参照して、トリガ１０が閉鎖機構１の開端１７に向かって移動するにつれて、キャッチ機構９は、キャリッジ上軌道または案内路２４に沿って動き、第２の弾性機構２２を伸張させる。トリガ１０が、閉位置から離れるようにさらに移動すると、キャッチ機構９はトリガを解放して、キャッチ機構９は、第２の弾性機構２２を伸張位置に保持する。このとき、第２の弾性機構２２が伸張される一方で、第１の弾性機構６は伸張されないので、第１の弾性機構６に力は全く作用しておらず、従って、閉鎖機構１を開ける／プライミングするのに、閉鎖からの全力は必要とされていない。
【０１１５】
図２８、２８Ａ、２８Ｂに示す開位置から、使用時にパネルを閉鎖機構１の閉端１８に向かって動かすと、トリガ１０がキャッチ機構９に連結する。リンケージ１２がリンケージキャッチ８に連結するとともに、ラッチ１５’が、軌道１４に沿ったキャリッジ行程の端１８の方向に最大限の位置でキャリッジ３を保持するように作用するまで、図２９および２９Ａに示すように、キャリッジ３は、キャリッジ用軌道または案内路１４に沿ってスライドする。
【０１１６】
この段階では、第１の弾性部材６および第２の弾性部材２２は、完全に伸張したままである。次いで、リンケージ１２がリンケージキャッチ８に連結すると、第１の弾性部材６と第２の弾性部材２２は、同時に圧縮／閉鎖を開始して、両方の弾性機構６、２２の力を同時に付与する。
【０１１７】
制動機構シャフト４１は、制動機構４内で動いて、パネルが閉じるときの制動力を付与する。キャッチ機構９が図２６および２６Ａに示す閉位置に戻って、キャッチ機構９によってラッチ１５’が押し離され、キャリッジ３が軌道１４を移動できるようになるまでは、図３０および３０Ａに示すように、ラッチ１５’は、依然としてキャリッジ３を所定位置に固定するように機能する。
【０１１８】
また、閉鎖機構１は、閉鎖対象物を閉鎖するものとして記載しているが、閉鎖機構１は、例えばドアを開位置に位置決めするなど、対象物を位置決めするために使用することもできる。さらに、１つの閉鎖機構でドアを閉位置に位置決めし、もう１つの閉鎖機構でドアを開位置に位置決めするというように、複数の閉鎖機構を使用することができる。そのような例は、隠しフレームに取り付けられたドアである。また、閉鎖機構は、部屋の間仕切りパネルを位置決めするなど、開位置でも閉位置でもない位置に対象物を位置決めするために使用することもできる。閉鎖とは、対象物を閉じること、および対象物を閉位置または他の任意の位置に位置決めすることを指すものと理解されるべきである。
【０１１９】
図３１〜３３を参照すると、本発明の構成可能な閉鎖機構１００を示している。構成可能な閉鎖機構１００は、細長い閉鎖機構本体１０２を備える。閉鎖機構本体１０２は、上側の閉鎖機構本体１１１と下側の閉鎖機構本体１１３で構成される。構成可能な閉鎖機構１００は、使用時にスライド対象物が閉じるように動く方向に位置する第１端１１８と、使用時にスライド対象物が開くように動く方向に位置する第２端１１７と、を有する。
【０１２０】
下側の閉鎖機構本体１１３における軌道１１４内に、複数のサブアセンブリ１８３Ａ、１８３Ｂ、１８３Ｃが配置されている。それらのサブアセンブリのうちの１つ１８３Ａは、第１端付近に固定される一方、他のサブアセンブリ１８３Ｂおよび１８３Ｃは、閉鎖機構本体１０２に沿って案内路１１４を移動可能である。案内路に配置されたストッパ１９５、１９６、１９７は、それぞれサブアセンブリ１８３Ａ、１８３Ｂ、１８３Ｃの動きを制限する。
【０１２１】
各サブアセンブリ１８３内で、少なくとも１つの連結機構およびオプションで２つの連結機構１９２、１９３を有するキャリッジ１９１がスライド可能である。特定のサブアセンブリＡ、Ｂ、またはＣの部分を指す場合には、そのサブアセンブリに関連付けられた文字が参照符号に付加されているが、すべてのサブアセンブリまたは代表するサブアセンブリの部分を指す場合には、そのサブアセンブリに関連付けられた文字は省略されている。
【０１２２】
サブアセンブリのうちの１つ１８３Ｃは、使用時にトリガ１１０をキャッチするキャッチとして機能する連結機構１９３Ｃを備えたキャリッジ１９１Ｃを有する。構成可能な閉鎖機構１００がスライド対象物に取り付けられる場合には、トリガ１１０はフレームに取り付けられる。しかしながら、上述のように、閉鎖機構はフレーム上またはフレーム内に取り付けることができるので、トリガ１１０はスライド対象物に取り付けることができる。
【０１２３】
また、閉位置に動くときの可動対象物を制動するために、制動機構１０４を設けてもよい。
【０１２４】
各サブアセンブリ１８３は、上側本体１２１および下側本体１２３と、上側本体１２１と下側本体１２３との離間を維持することを助けるスペーサ１５９、１８７と、を有する。各サブアセンブリ１８３は、閉鎖機構１００の閉端１１８に最も近い第１端１２０と、閉鎖機構１００の開端１１７に最も近い第２端１１９と、を有する。サブアセンブリ１８３は、サブアセンブリ上軌道または案内路１２４を有し、これに沿ってキャリッジ１９１がスライドする。案内路は、上側部品１８４と下側部品１８５を有する。キャリッジ１９１とサブアセンブリ１８３の第１端１２０との間を、弾性機構１２２が連結している。弾性機構１２２は、閉鎖力を付与するように機能する。
【０１２５】
図３４および３４Ａを参照して、ラッチ１１５Ｃは、サブアセンブリ１８３Ｃを案内路１１４上で第１端１１８に向かって移動できる最大限の位置に固定するのを助ける。図３４Ａに示すように、キャリッジ１９１Ｃが第１端１１８に向かって軌道１２４Ｃを移動できる範囲を越えた位置に動く直前まで、ラッチ１１５Ｃは、サブアセンブリ１８３Ｃが所定位置に留まることを支援する力を、サブアセンブリ１８３Ｃに付与する。キャリッジ１９１Ｃが、第１端１１８に向かって軌道１２４Ｃを移動できる最大限の位置に達すると、ラッチ１１５Ｃはキャリッジ１９１Ｃによって動かされて、サブアセンブリ１８３Ｃは軌道１１４を移動できるようになる。
【０１２６】
弾性機構１２２は、やはりバネであってよく、またはラバースプリングのような他の適切な弾性機構であってよい。一実施形態では、弾性機構１２２のそれぞれは１つのバネで構成され、あるいは弾性機構を一対のバネで構成してよい。ゴムのような代替的な弾性機構を使用してよい。
【０１２７】
構成可能な閉鎖機構の本体１１２および他の構成要素は、プラスチックまたは金属または他の適切な材料またはその任意の組み合わせで構成してよい。軌道は、構成可能な閉鎖機構１００のスライド部品に対して低抵抗であることが好ましい。
【０１２８】
図３５〜４０を参照して、閉鎖機構１００の動作について以下で説明する。特に図３５を参照して、閉位置から開始し、このとき、連結機構１９３Ｃは、案内路１１４の第１端１１８に最も近づいており、すべてのキャリッジ１９１Ａ、１９１Ｂ、１９１Ｃは、その個々のキャリッジ用軌道または案内路１２４Ａ、１２４Ｂ、１２４Ｃにおいて閉鎖機構１００の閉端１１８に最も近づいている。それぞれのサブアセンブリ１８３Ａ、１８３Ｂ、１８３Ｃの弾性機構１２２は、いずれも弛緩位置にある。サブアセンブリ１８３Ａのキャリッジのキャリッジ連結機構１９３Ａは、サブアセンブリ１８３Ｂのキャリッジの連結機構１９２Ｂに連結されている。サブアセンブリ１８３Ｂのキャリッジのキャリッジ連結機構１９３Ｂは、サブアセンブリ１８３Ｃのキャリッジの連結機構１９２Ｃに連結されている。サブアセンブリ１８３Ｂおよび１８３Ｃに関連付けられたラッチ１１５Ｂおよび１１５Ｃは、連結機構１９３Ｂおよび１９３Ｃによって押し出されており、各サブアセンブリのキャリッジ１９１は、各サブアセンブリの軌道１２４を移動することが可能である。
【０１２９】
弾性機構１２２は、それらがキャリッジ１９１に力をほとんど付与していないときには、弛緩位置にあると記述され、キャリッジ１９１および連結機構１９３Ｃに力を付与することが可能であるときには、プライミング位置または伸張位置にあると記述される。
【０１３０】
使用時には、可動対象物を開けるときに、連結機構１９３Ｃがトリガ１１０を保持し、トリガ１１０が閉鎖機構１００の開端１１７に向かって移動するにつれて、第１の弾性機構１２２Ａは、伸張／プライミング位置に伸張される。
【０１３１】
図３６を参照して、第１の弾性機構１２２Ａは、キャリッジ１９１Ａを介して連結機構１９３Ａに連結されており、そして連結機構１９３Ａは次に、連結機構１９２Ｂに連結されており、これはキャリッジ１９１Ｂを介して連結機構１９３Ｂに連結されており、そして連結機構１９３Ｂは次に、連結機構１９２Ｃに連結されており、これはキャリッジ１９１Ｃを介して連結機構１９３Ｃに連結されているので、第１の弾性機構１２２Ａは伸張される。従って、キャリッジ１９１Ａがキャリッジ用軌道または案内路１２４Ａに沿って閉鎖機構本体１０２の開端に向かって移動するにつれて、第１の弾性機構１２２Ａは伸張される。
【０１３２】
また、サブアセンブリ１８３Ｂも、案内路１１４に沿って、閉鎖機構１００の開端１１７に向かって、ストッパ１９６に当たるまで移動する。この段階では、閉鎖機構１００は、第１の弾性機構１２２Ａが伸張したのみで、第２の弾性機構１２２Ｂは全く伸張されていない。第１の弾性機構１２２Ａを伸張させるのに足りる力が必要であるにすぎない。第２の弾性機構１２２Ｂは同時には伸張されないので、トリガ１１０からの力は、第２の弾性機構１２２Ｂに全く作用していない。
【０１３３】
トリガ１１０が閉鎖機構１００の開端１１７に向かってさらに移動するにつれて、連結機構１９２Ｂは連結機構１９３Ａから係合解除されて、キャリッジ１９１Ｂは、閉鎖機構本体の第２端に向かってキャリッジ用案内路１２４Ｂをスライドする。第１の弾性機構１２２Ａは、キャリッジ１９１Ａによって保持される伸張位置に留まる。
【０１３４】
図３７を参照して、第２の弾性機構１２２Ｂは、キャリッジ１９１Ｂを介して連結機構１９３Ｂに連結されており、そして連結機構１９３Ｂは次に、連結機構１９２Ｃに連結されており、これはキャリッジ１９１Ｃを介して連結機構１９３Ｃに連結されているので、第２の弾性機構１２２Ｂは伸張される。従って、キャリッジ１９１Ｂがキャリッジ用軌道または案内路１２４Ｂに沿って閉鎖機構本体１０２の開端に向かって移動するにつれて、第２の弾性機構１２２Ｂは伸張される。
【０１３５】
また、サブアセンブリ１８３Ｃも、案内路１１４に沿って、閉鎖機構１００の開端１１７に向かって、ストッパ１９７に当たるまで移動する。この段階では、閉鎖機構１００は、第１と第２の弾性機構１２２Ａ、１２２Ｂが伸張したのみで、第３の弾性機構１２２Ｃは全く伸張されていない。どの時点でも、ただ１つの弾性機構１２２Ｂを伸張させるのに足りる力が必要であるにすぎない。第３の弾性機構１２２Ｃは、第２の弾性機構１２２Ｂと同時には伸張されないので、トリガ１１０からの力は、第３の弾性機構１２２Ｃに全く作用していない。
【０１３６】
トリガ１１０が閉鎖機構１００の開端１１７に向かってさらに移動するにつれて、連結機構１９２Ｃは連結機構１９３Ｂから係合解除されて、キャリッジ１９１Ｃは、閉鎖機構本体の第２端に向かってキャリッジ用案内路１２４Ｃをスライドする。第２の弾性機構１２２Ｂは、キャリッジ１９１Ｂによって保持される伸張位置に留まる。
【０１３７】
図３８を参照して、第３の弾性機構１２２Ｃは、キャリッジ１９１Ｃを介して連結機構１９３Ｃに連結されているので、第３の弾性機構１２２Ｃは伸張される。従って、キャリッジ１９１Ｃがキャリッジ用軌道または案内路１２４に沿って閉鎖機構本体１０２の開端に向かって移動するにつれて、第３の弾性機構１２２Ｃは伸張される。
【０１３８】
どの時点でも、ただ１つの弾性機構１２２Ｃを伸張させるのに足りる力が必要であるにすぎない。従って、閉鎖機構１００を開ける／プライミングするのに、閉鎖からの全力は必要とされていない。
【０１３９】
図３８に示す開位置から、使用時にパネルを閉鎖機構１００の閉端１１８に向かって動かすと、トリガ１１０が連結機構１９３Ｃに連結する。連結機構１９２、１９３が他のサブアセンブリの連結機構１９２、１９３に連結するとともに、ラッチ１１５Ｂ、１１５Ｃが、軌道１１４に沿ったサブアセンブリ行程の端１１８の方向に最大限の位置でサブアセンブリ１８３Ｂおよび１８３Ｃを保持するように作用するまで、図３９に示すように、サブアセンブリ１８３Ｂおよび１８３Ｃは、案内路１１４に沿ってスライドする。
【０１４０】
この段階では、すべての弾性部材１２２Ａ、１２２Ｂ、１２２Ｃは、完全に伸張したままである。次いで、連結機構１９２、１９３が他のサブアセンブリの連結機構１９２、１９３に連結すると、すべての弾性部材１２２は、同時に圧縮／閉鎖を開始して、すべての弾性機構１２２の力を同時に付与する。これを、図４０に示している。
【０１４１】
３つの弾性機構を図示しているが、例えば２つまたは４つなど、任意の数の追加の弾性機構を使用できることは理解されるべきである。さらに、開放時に複数の弾性機構を同時に伸張／プライミングすることもあり得る。例えば、８つの弾性機構を使用する場合には、それらの弾性機構のうちの２つを同時に伸張／プライミングし得る一方、閉鎖時にはパネルを閉じるために８つすべての力を利用することがあり得る。
【０１４２】
図４１〜４４を参照して、構成可能な閉鎖機構１００は、各サブアセンブリ１８３の弾性機構１２２の予張力の調整を可能とするための調整機構を備え得る。この調整は、サブアセンブリ１８３が、案内路１１４上で第１端１１８に向かって移動できる最大限の位置にあるときに実施される。
【０１４３】
各サブアセンブリ１８３の弾性機構１２２は、テンションブロック１５８Ａ、１５８Ｂ、１５８Ｃに連結されている。テンションブロック１５８は、雌ネジ部を有し、ネジ切りロッド１５７Ａ、１５７Ｂ、１５７Ｃに沿って、このロッドの回転に伴って動き、このテンションブロック１５８Ａ、１５８Ｂ、１５８Ｃの動きによって、それぞれ弾性機構１２２Ａ、１２２Ｂ、１２２Ｃの張力を調整する。図４３および４４に、最小張力を示している。テンションブロック１５８によって弾性機構１２２が伸張されている図４１、４２、４５に、最大張力を示している。
【０１４４】
ネジ切りロッド１５７は、ロッド１５７を回転させる従動ギア１５６Ａ、１５６Ｂ、１５６Ｃを有する。従動ギア１５６Ａ、１５６Ｂ、１５６Ｃは、駆動ギア１５５によって駆動される。
【０１４５】
駆動ギア１５５は、シャフト端１４９に工具を用いて回転させる。一実施形態ではバネである弾性機構１５３によって、駆動ギア１５５が従動ギア１５６Ａ、１５６Ｂ、１５６Ｃから係合解除される位置にシャフトを押しやる。これを、図４１に示している。
【０１４６】
張力を調整するために、典型的には工具を用いて機構１５３を押しやり、図４２〜４４に示すように、駆動ギア１５５を従動ギア１５６Ａ、１５６Ｂ、１５６Ｃに係合させる。これにより、すべての弾性機構１２２の張力を同時に、かつ同等に調整することが可能である。
【０１４７】
さらに、構成可能な閉鎖機構１００では、以下のいずれかを含む様々なサブアセンブリを使用することが可能となり得る。
・  ドアを引いて閉めるサブアセンブリ（すなわち、張力を付与した弾性部材を有するサブアセンブリ）。
・  ドアが閉まる速度を制御するサブアセンブリ（すなわち、ダンパを有するサブアセンブリ）であって、これにより、ドアで指を挟むリスク、またはフレームを損傷するリスクを低減する。
・  ドアを引いて開けるサブアセンブリ（すなわち、張力を付与した弾性部材を有するサブアセンブリであって、このサブアセンブリの向きは、ドアを引いて閉めるサブアセンブリとは１８０度反転している）。
・  ドアが開く速度を制御するサブアセンブリ（すなわち、ダンパを有するサブアセンブリであって、このサブアセンブリの向きは、ドアが閉まる速度を制御するサブアセンブリとは１８０度反転している）であって、これにより、ドアでフレームを損傷するリスクを低減する。
・  ドアを引いて閉めるサブアセンブリ（すなわち、圧縮した弾性部材を有するサブアセンブリであって、このサブアセンブリの向きは１８０度反転している）。
・  ドアを引いて開けるサブアセンブリ（すなわち、圧縮した弾性部材を有するサブアセンブリ）。
・  空調ユニットまたは暖房ユニットを操作するために、空調ユニットまたは暖房ユニットへの機械的リンク、電子的リンク、またはその他のリンクを有するサブアセンブリであって、ドアが閉まっていれば、空調ユニットまたは暖房ユニットをオンにし、ドアが閉まっていなければ、空調ユニットまたは暖房ユニットをオフにする。
・  警報システムへの機械的リンク、電子的リンク、またはその他のリンクを有するサブアセンブリであって、ドアが閉まるときには、ドアで自動的に警報が発せられる。
・  警報システムへの機械的リンク、電子的リンク、またはその他のリンクを有するサブアセンブリであって、ドアが閉まっていなければ、家主はアラームを設定することができない。
・  必要な力の量の制御および／またはドアが動く速度の制御のためのサブアセンブリカセット（すなわち、弾性部材およびダンパを電動式の等価物で置き換える）。
・  ドアの特殊ガラス材への機械的リンク、電子的リンク、またはその他のリンクを有するサブアセンブリであって、これにより、ドアが閉まっているか否かに応じて、特殊ガラス材は透明から不透明に変化する。
・  ドアを開状態または閉状態でロックするための、ロックを有するサブアセンブリ。
・  何らかの他のデバイスに接続されたスイッチを有するサブアセンブリ。
・  多目的サブアセンブリ。
【０１４８】
このようなサブアセンブリは、例えば、使用者がドアを閉位置に動かしてドアをロックすることを可能にするなど、様々に組み合わせて使用することができる。そのような動作は、スマート無線デバイスを用いて遠隔もしくは局所から、または単純なスイッチを用いて局所から、実行させることができる。各々のサブアセンブリは、それを使用する目的である機能を果たすように構成される。
【０１４９】
さらに、ベースおよび種々のサブアセンブリからなるキットセットを供給し得ること、またはベースおよび種々のサブアセンブリを別々に供給し得るとともに、設置者が要求に応じて適切なサブアセンブリを選択することによりクロージャを構成し得ること、が想定される。
【０１５０】
本発明について、その実施形態の説明によって例示しており、それらの実施形態について詳細に記載しているが、本出願人は、添付の請求項の範囲をかかる詳細に制限または何らかの形で限定するつもりはない。また、上記の実施形態は、個々に実施してよく、または両立し得るのであれば組み合わせてよい。上記の実施形態の組み合わせなど、さらなる効果および変形例は、当業者には容易に明らかとなるであろう。よって、より広範な態様において、本発明は、図示および記載された特定の詳細、代表的な装置および方法、ならびに実例に限定されるものではない。従って、本出願人の包括的発明概念の趣旨または範囲から逸脱することなく、かかる詳細から発展させてよい。
【図１】
2018523032.tif 000003
【図２】
2018523032.tif 000004
【図３】
2018523032.tif 000005
【図４】
2018523032.tif 000006
【図４Ａ】
2018523032.tif 000007
【図５】
2018523032.tif 000008
【図５Ａ】
2018523032.tif 000009
【図６】
2018523032.tif 000010
【図６Ａ】
2018523032.tif 000011
【図７】
2018523032.tif 000012
【図７Ａ】
2018523032.tif 000013
【図８】
2018523032.tif 000014
【図８Ａ】
2018523032.tif 000015
【図９】
2018523032.tif 000016
【図９Ａ】
2018523032.tif 000017
【図１０】
2018523032.tif 000018
【図１０Ａ】
2018523032.tif 000019
【図１１】
2018523032.tif 000020
【図１１Ａ】
2018523032.tif 000021
【図１２】
2018523032.tif 000022
【図１２Ａ】
2018523032.tif 000023
【図１３】
2018523032.tif 000024
【図１４】
2018523032.tif 000025
【図１５】
2018523032.tif 000026
【図１６】
2018523032.tif 000027
【図１７】
2018523032.tif 000028
【図１８】
2018523032.tif 000029
【図１９】
2018523032.tif 000030
【図２０】
2018523032.tif 000031
【図２０Ａ】
2018523032.tif 000032
【図２０Ｂ】
2018523032.tif 000033
【図２１】
2018523032.tif 000034
【図２１Ａ】
2018523032.tif 000035
【図２１Ｂ】
2018523032.tif 000036
【図２２】
2018523032.tif 000037
【図２２Ａ】
2018523032.tif 000038
【図２２Ｂ】
2018523032.tif 000039
【図２３】
2018523032.tif 000040
【図２３Ａ】
2018523032.tif 000041
【図２３Ｂ】
2018523032.tif 000042
【図２４】
2018523032.tif 000043
【図２５】
2018523032.tif 000044
【図２６】
2018523032.tif 000045
【図２６Ａ】
2018523032.tif 000046
【図２７】
2018523032.tif 000047
【図２７Ａ】
2018523032.tif 000048
【図２８】
2018523032.tif 000049
【図２８Ａ】
2018523032.tif 000050
【図２８Ｂ】
2018523032.tif 000051
【図２９】
2018523032.tif 000052
【図２９Ａ】
2018523032.tif 000053
【図３０】
2018523032.tif 000054
【図３０Ａ】
2018523032.tif 000055
【図３１】
2018523032.tif 000056
【図３２】
2018523032.tif 000057
【図３３】
2018523032.tif 000058
【図３４】
2018523032.tif 000059
【図３４Ａ】
2018523032.tif 000060
【図３５】
2018523032.tif 000061
【図３６】
2018523032.tif 000062
【図３７】
2018523032.tif 000063
【図３８】
2018523032.tif 000064
【図３９】
2018523032.tif 000065
【図４０】
2018523032.tif 000066
【図４１】
2018523032.tif 000067
【図４２】
2018523032.tif 000068
【図４３】
2018523032.tif 000069
【図４４】
2018523032.tif 000070
【図４５】
2018523032.tif 000071
【手続補正書】
【提出日】平成29年5月29日(2017.5.29)
【手続補正１】
【補正対象書類名】明細書
【補正対象項目名】００２７
【補正方法】変更
【補正の内容】
【００２７】
さらなる実施形態では、本発明は、閉鎖機構にあり、この閉鎖機構は、
細長部材と、
細長部材に沿ってスライド可能なキャッチと、
キャッチが細長部材に沿ってスライドするときに、キャッチに力を付与するように機能する力付与機構と、を備え、
力付与機構によって第１の方向に付与される最大力は、力付与機構によって第２の反対方向に付与される最大力よりも大きい。  
【手続補正２】
【補正対象書類名】特許請求の範囲
【補正対象項目名】全文
【補正方法】変更
【補正の内容】
【特許請求の範囲】
【請求項１】
閉鎖機構であって、
ベースと、
前記ベースに沿って可動であるキャリッジと、
前記キャリッジに沿って可動であるキャッチ機構と、
前記ベースと前記キャッチ機構とを連結する第１の弾性機構と、
前記キャリッジと前記キャッチ機構とを連結する第２の弾性機構と、を備える閉鎖機構。
【請求項２】
前記キャッチ機構に連結されたリンク機構をさらに備え、前記第１の弾性機構は、前記リンク部材を介して前記キャッチ機構に連結する、請求項１に記載の閉鎖機構。
【請求項３】
前記リンク部材に連結可能なラッチ機構をさらに備え、前記第１の弾性機構は、前記ラッチ機構を介して前記リンク部材に連結する、請求項２に記載の閉鎖機構。
【請求項４】
前記ベースに沿った少なくとも一方向の前記キャッチ機構の動きを制動するための制動機構をさらに備える、請求項１〜３のいずれか１項に記載の閉鎖機構。
【請求項５】
前記制動機構は、固定端および自由端を有し、前記制動機構の前記自由端は、前記キャッチ機構に連結されている、請求項４に記載の閉鎖機構。
【請求項６】
前記第１の弾性機構は、少なくとも１つのバネである、請求項１〜５のいずれか１項に記載の閉鎖機構。
【請求項７】
前記少なくとも１つのバネは、少なくとも２つのバネである、請求項６に記載の閉鎖機構。
【請求項８】
前記第２の弾性機構は、少なくとも１つのバネである、請求項１〜７のいずれか１項に記載の閉鎖機構。
【請求項９】
前記少なくとも１つのバネは、少なくとも２つのバネである、請求項８に記載の閉鎖機構。
【請求項１０】
当該閉鎖機構は、位置決め対象物を位置決めするように機能する、請求項１〜９のいずれか１項に記載の閉鎖機構。
【請求項１１】
当該閉鎖機構は、本体内で閉鎖対象物を閉じるように機能し、当該閉鎖機構の前記キャッチ機構は、前記閉鎖対象物を閉じるために、キャッチ用トリガと協働する、請求項１〜１０のいずれか１項に記載の閉鎖機構。
【請求項１２】
当該閉鎖機構は、前記閉鎖対象物に固定されており、前記キャッチ用トリガは、前記本体に固定されている、請求項１１に記載の閉鎖機構。
【請求項１３】
前記キャッチ用トリガは、前記閉鎖対象物に固定されており、当該閉鎖機構は、前記本体に固定されている、請求項１１に記載の閉鎖機構。
【請求項１４】
前記閉鎖対象物は、ドア、窓、間仕切り、ゲート、ドロワからなる群から選択される、請求項１１〜１３のいずれか１項に記載の閉鎖機構。
【請求項１５】
前記本体は、フレームを含む、請求項１４に記載の閉鎖機構。
【請求項１６】
前記キャッチ機構に連結可能な少なくとも１つのさらなる弾性機構をさらに備える、請求項１〜１５のいずれか１項に記載の閉鎖機構。
【請求項１７】
すべての前記弾性力機構の張力を同時に調整するための弾性力調整機構をさらに備える、請求項１〜１６のいずれか１項に記載の閉鎖機構。
【請求項１８】
前記弾性力調整機構は、
各々の前記弾性力機構に関連付けられた従動ギアであって、前記関連付けられた弾性力機構の張力を調整するように構成された従動ギアと、
前記弾性力機構の前記従動ギアに係合可能な少なくとも１つの駆動ギアであって、すべての前記弾性力機構の張力を同時に調整するように機能する少なくとも１つの駆動ギアと、を有する、請求項１７に記載の閉鎖機構。
【請求項１９】
前記少なくとも１つの駆動ギアの各々は、前記従動ギアに係合している第１の位置から、前記従動ギアから係合解除されている第２の位置に、移行可能である、請求項１８に記載の閉鎖機構。
【請求項２０】
前記駆動ギアは、前記係合解除位置に向けて付勢されている、請求項１９に記載の閉鎖機構。
【請求項２１】
閉鎖機構であって、
細長部材と、
前記細長部材に沿ってスライド可能なキャッチと、
前記キャッチが前記細長部材に沿ってスライドするときに、前記キャッチに力を付与するように機能する力付与機構と、を備え、
前記力付与機構によって第１の方向に付与される最大力は、前記力付与機構によって第２の反対方向に付与される最大力よりも大きい、閉鎖機構。
【請求項２２】
前記力付与機構は、少なくとも２つの弾性機構を含み、前記第１の方向には、前記少なくとも２つの弾性機構のすべては協働して力を付与し、前記第２の方向には、前記少なくとも２つの弾性機構の各々は別々に作用して、各々の前記弾性機構は、前記第２の方向のスライドの一部のみのための力を付与する、請求項２１に記載の閉鎖機構。
【請求項２３】
前記キャッチに対して前記第１の方向に付与される力を減衰させるように機能するダンパをさらに備える、請求項２２に記載の閉鎖機構。
【請求項２４】
当該閉鎖機構は、位置決め対象物を位置決めするように機能する、請求項２３に記載の閉鎖機構。
【請求項２５】
すべての前記弾性力機構の張力を同時に調整するための弾性力調整機構をさらに備える、請求項２１〜２４のいずれか１項に記載の閉鎖機構。
【請求項２６】
前記弾性力調整機構は、
各々の前記弾性力機構に関連付けられた従動ギアであって、前記関連付けられた弾性力機構の張力を調整するように構成された従動ギアと、
前記弾性力機構の前記従動ギアに係合可能な少なくとも１つの駆動ギアであって、すべての前記弾性力機構の張力を同時に調整するように機能する少なくとも１つの駆動ギアと、を有する、請求項２５に記載の閉鎖機構。
【請求項２７】
前記少なくとも１つの駆動ギアの各々は、前記従動ギアに係合している第１の位置から、前記従動ギアから係合解除されている第２の位置に、移行可能である、請求項２６に記載の閉鎖機構。
【請求項２８】
前記駆動ギアは、前記係合解除位置に向けて付勢されている、請求項２７に記載の閉鎖機構。
【請求項２９】
パネル用の閉鎖装置であって、
ベースであって、
第１端および第２端と、
該ベースの前記第１端から前記第２端までの少なくとも一部に延在する案内路と、を有するベースと、
前記第１の案内路に沿って可動であるキャリッジであって、
第１端および第２端と、
該キャリッジの前記第１端から前記第２端までの少なくとも一部に延在するキャリッジ案内路と、を有するキャリッジと、
前記キャリッジ案内路に沿って可動であるキャッチ機構と、
第１端および第２端を有する連結リンクであって、該連結リンクの前記第２端に、前記キャッチ機構が連結されている、連結リンクと、
第１の弾性機構と、
前記連結リンクの前記第１端に連結可能なリンケージキャッチ機構であって、該リンケージキャッチ機構を介して前記第１の弾性機構は前記連結リンクに連結している、リンケージキャッチ機構と、
前記キャリッジの前記第１端と前記キャッチ機構とを連結している第２の弾性機構と、
前記ベースの前記第１端に向かって動くときの前記キャッチ機構の動きを制動するための制動機構と、を備える、パネル用閉鎖装置。
【請求項３０】
前記キャッチ機構に連結可能な少なくとも１つの第３の弾性機構をさらに備える、請求項２９に記載のパネル用閉鎖装置。
【請求項３１】
前記制動機構は、固定端および自由端を有し、前記制動機構の前記自由端は、前記リンケージキャッチ機構に連結されている、請求項２９または３０に記載のパネル用閉鎖装置。
【請求項３２】
前記パネルはドアである、請求項２９〜３１のいずれか１項に記載のパネル用閉鎖装置。
【請求項３３】
前記パネルは窓である、請求項２９〜３１のいずれか１項に記載のパネル用閉鎖装置。
【請求項３４】
前記パネルは、フレーム内に取り付けられており、前記フレームにはキャッチ用トリガが装着されており、当該閉鎖装置は、前記パネルに装着されている、請求項２９〜３３のいずれか１項に記載のパネル用閉鎖装置。
【請求項３５】
前記パネルは、フレーム内に取り付けられており、前記パネルにはキャッチ用トリガが装着されており、当該閉鎖装置は、前記フレームに装着されている、請求項２９〜３３のいずれか１項に記載のパネル用閉鎖装置。
【請求項３６】
当該閉鎖装置は、前記パネルを位置決めするように機能する、請求項２９〜３５のいずれか１項に記載のパネル用閉鎖装置。
【請求項３７】
すべての前記弾性力機構の張力を同時に調整するための弾性力調整機構をさらに備える、請求項２９〜３６のいずれか１項に記載のパネル用閉鎖装置。
【請求項３８】
前記弾性力調整機構は、
各々の前記弾性力機構に関連付けられた従動ギアであって、前記関連付けられた弾性力機構の張力を調整するように構成された従動ギアと、
前記弾性力機構の前記従動ギアに係合可能な少なくとも１つの駆動ギアであって、すべての前記弾性力機構の張力を同時に調整するように機能する少なくとも１つの駆動ギアと、を有する、請求項３７に記載のパネル用閉鎖装置。
【請求項３９】
前記少なくとも１つの駆動ギアの各々は、前記従動ギアに係合している第１の位置から、前記従動ギアから係合解除されている第２の位置に、移行可能である、請求項３８に記載のパネル用閉鎖装置。
【請求項４０】
前記駆動ギアは、前記係合解除位置に向けて付勢されている、請求項３９に記載のパネル用閉鎖装置。
【請求項４１】
スライド対象物用の構成可能な制御機構であって、
サブアセンブリを収容する細長ベースであって、第１端および第２端を有する細長ベースと、
第１端および第２端を有する少なくとも２つの細長サブアセンブリであって、該細長サブアセンブリは前記ベース内に設置可能であり、該細長サブアセンブリの前記第１端および前記第２端は、前記細長ベースの前記第１端および前記第２端と略アライメントされており、該少なくとも２つのサブアセンブリは、弾性力機構と制動機構とを含む群から選択されるものであり、該サブアセンブリの各々は、
該サブアセンブリの前記第１端から前記第２端までの少なくとも一部に延在する軌道と、
前記軌道に沿って可動であるキャリッジであって、該キャリッジは少なくとも１つの連結機構を有し、前記少なくとも１つの連結機構の各々は、１つのサブアセンブリを他の１つのサブアセンブリまたはキャッチに連結するように機能する、キャリッジと、を有する少なくとも２つの細長サブアセンブリと、を備える、スライド対象物用の構成可能な制御機構。
【請求項４２】
前記サブアセンブリが選択される前記群は、他の装置を制御するように機能する機械的スイッチング機構、電気的スイッチング機構、ロック機構、電動制御機構、多目的サブアセンブリをさらに含む、請求項４１に記載の、スライド対象物用の構成可能な制御機構。
【請求項４３】
前記スライド対象物はパネルである、請求項４１または４２に記載の、スライド対象物用の構成可能な制御機構。
【請求項４４】
前記パネルは窓である、請求項４３に記載の、スライド対象物用の構成可能な制御機構。
【請求項４５】
前記パネルはドアである、請求項４３に記載の、スライド対象物用の構成可能な制御機構。
【請求項４６】
前記スライド対象物は、フレーム内に取り付けられており、前記フレームにはキャッチ用トリガが装着されており、当該構成可能な制御機構は、前記パネルに装着されている、請求項４１〜４５のいずれか１項に記載の、スライド対象物用の構成可能な制御機構。
【請求項４７】
前記パネルは、フレーム内に取り付けられており、前記パネルにはキャッチ用トリガが装着されており、当該構成可能な制御機構は、前記フレームに装着されている、請求項４１〜４５のいずれか１項に記載の、スライド対象物用の構成可能な制御機構。
【請求項４８】
前記少なくとも２つの細長サブアセンブリは、少なくとも３つのサブアセンブリであり、前記少なくとも３つのサブアセンブリのうちの少なくとも２つは、弾性力機構であり、第１の方向に付与される最大力は、第２の反対方向に付与される最大力よりも大きい、請求項４１〜４７のいずれか１項に記載の、スライド対象物用の構成可能な制御機構。
【請求項４９】
前記少なくとも２つの細長サブアセンブリは、少なくとも３つのサブアセンブリであり、前記少なくとも３つのサブアセンブリのうちの少なくとも２つは、弾性力機構であり、第１の移動方向には、前記少なくとも２つの弾性力機構のすべては協働して力を付与し、第２の方向には、前記少なくとも２つの弾性力機構の各々は別々に作用して、各々の前記弾性力機構は、前記第２の方向のスライドの一部のみのための力を付与する、請求項４１〜４７のいずれか１項に記載の、スライド対象物用の構成可能な制御機構。
【請求項５０】
すべての前記弾性力機構の張力を同時に調整するための弾性力調整機構をさらに備える、請求項４１〜４９のいずれか１項に記載の、スライド対象物用の構成可能な制御機構。
【請求項５１】
前記弾性力調整機構は、
各々の前記弾性力機構に関連付けられた従動ギアであって、前記関連付けられた弾性力機構の張力を調整するように構成された従動ギアと、
前記弾性力機構の前記従動ギアに係合可能な少なくとも１つの駆動ギアであって、すべての前記弾性力機構の張力を同時に調整するように機能する少なくとも１つの駆動ギアと、を有する、請求項５０に記載の、スライド対象物用の構成可能な制御機構。
【請求項５２】
前記少なくとも１つの駆動ギアの各々は、前記従動ギアに係合している第１の位置から、前記従動ギアから係合解除されている第２の位置に、移行可能である、請求項５１に記載の、スライド対象物用の構成可能な制御機構。
【請求項５３】
前記駆動ギアは、前記係合解除位置に向けて付勢されている、請求項５２に記載の、スライド対象物用の構成可能な制御機構。
【請求項５４】
請求項４１〜５３のいずれか１項に記載の細長ベースおよびサブアセンブリを含む、スライド対象物用のキットセット制御機構。
【請求項５５】
閉鎖機構であって、
細長ベースであって、
第１端および第２端と、
該ベースの前記第１端から前記第２端までの少なくとも一部に延在する案内路と、を有する細長ベースと、
概ね前記第１端で前記案内路内に固定された第１のサブアセンブリであって、
前記ベースの前記第１端および前記第２端と略同じ方向にある第１端および第２端と、
該第１のサブアセンブリの前記第１端から前記第２端までの少なくとも一部に延在するキャリッジ軌道と、
前記キャリッジ軌道に沿って可動であるキャリッジであって、
他のサブアセンブリのリンク機構に連結するように機能するリンク機構を含む、キャリッジと、
該第１のサブアセンブリの前記第１端と前記キャリッジとを連結する弾性機構と、を有する第１のサブアセンブリと、
前記第１のサブアセンブリに平行な前記案内路に沿って、前記案内路の前記第１端から前記第２端までスライド可能である第２のサブアセンブリであって、
前記ベースの前記第１端および前記第２端と略同じ方向にある第１端および第２端と、
前記第１端から前記第２端までの少なくとも一部に延在するキャリッジ軌道と、
前記キャリッジ軌道に沿って可動であるキャリッジであって、
他のサブアセンブリのリンク機構に連結するように機能するリンク機構と、
キャッチ機構と、を含むキャリッジと、
該第２のサブアセンブリの前記第１端と前記キャリッジとを連結する弾性機構と、を有する第２のサブアセンブリと、を備える、閉鎖機構。
【請求項５６】
前記ベースに沿った少なくとも一方向の前記キャッチ機構の動きを制動するための制動サブアセンブリをさらに備える、請求項５５に記載の閉鎖機構。
【請求項５７】
前記制動機構は、固定端および自由端を有し、前記制動機構の前記自由端は、前記キャッチ機構に連結されている、請求項５６に記載の閉鎖機構。
【請求項５８】
前記サブアセンブリの前記弾性機構は、少なくとも１つのバネである、請求項５５〜５７のいずれか１項に記載の閉鎖機構。
【請求項５９】
前記少なくとも１つのバネは、少なくとも２つのバネである、請求項５８に記載の閉鎖機構。
【請求項６０】
当該閉鎖機構は、位置決め対象物を位置決めするように機能する、請求項５５〜５９のいずれか１項に記載の閉鎖機構。
【請求項６１】
当該閉鎖機構は、本体内で閉鎖対象物を閉じるように機能し、当該閉鎖機構の前記キャッチ機構は、前記閉鎖対象物を閉じるために、キャッチ用トリガと協働する、請求項５５〜６０のいずれか１項に記載の閉鎖機構。
【請求項６２】
当該閉鎖機構は、前記閉鎖対象物に固定されており、前記キャッチ用トリガは、前記本体に固定されている、請求項６１に記載の閉鎖機構。
【請求項６３】
前記キャッチ用トリガは、前記閉鎖対象物に固定されており、当該閉鎖機構は、前記本体に固定されている、請求項６１に記載の閉鎖機構。
【請求項６４】
前記閉鎖対象物は、ドア、窓、間仕切り、ゲート、パネル、ドロワからなる群から選択される、請求項５５〜６３のいずれか１項に記載の閉鎖機構。
【請求項６５】
他のサブアセンブリに平行な前記案内路に沿ってスライド可能な少なくとも１つのさらなるサブアセンブリをさらに備え、前記少なくとも１つのさらなるサブアセンブリの各々は、前記案内路の前記第１端から、該少なくとも１つのさらなるサブアセンブリにそれぞれ関連付けられた前記案内路内のストッパまでスライド可能であり、前記少なくとも１つのさらなるサブアセンブリの各々は、
前記ベースの前記第１端および前記第２端と略同じ方向にある第１端および第２端と、
前記第１端から前記第２端までの少なくとも一部に延在するキャリッジ軌道と、
前記キャリッジ軌道に沿って可動であるキャリッジであって、
他のサブアセンブリのリンク機構に連結するように機能する第１のリンク機構と、
他のサブアセンブリのリンク機構に連結するように機能する第２のリンク機構と、を含むキャリッジと、
前記少なくとも１つのさらなるサブアセンブリのそれぞれの前記第１端と前記キャリッジとを連結する弾性機構と、を有する、請求項５５〜６４のいずれか１項に記載の閉鎖機構。
【請求項６６】
すべての前記弾性力機構の張力を同時に調整するための弾性力調整機構をさらに備える、請求項５５〜６５のいずれか１項に記載の閉鎖機構。
【請求項６７】
前記弾性力調整機構は、
各々の前記弾性力機構に関連付けられた従動ギアであって、前記関連付けられた弾性力機構の張力を調整するように構成された従動ギアと、
前記弾性力機構の前記従動ギアに係合可能な少なくとも１つの駆動ギアであって、すべての前記弾性力機構の張力を同時に調整するように機能する少なくとも１つの駆動ギアと、を有する、請求項６６に記載の閉鎖機構。
【請求項６８】
前記少なくとも１つの駆動ギアの各々は、前記従動ギアに係合している第１の位置から、前記従動ギアから係合解除されている第２の位置に、移行可能である、請求項６７に記載の閉鎖機構。
【請求項６９】
前記駆動ギアは、前記係合解除位置に向けて付勢されている、請求項６８に記載の閉鎖機構。
【請求項７０】
少なくとも２つの弾性力機構を有するクロージャ用の、調整機構であって、
各々の前記弾性力機構に関連付けられた従動ギアであって、前記関連付けられた弾性力機構の張力を調整するように構成された従動ギアと、
前記弾性力機構の前記従動ギアに係合可能な少なくとも１つの駆動ギアであって、すべての前記弾性力機構の張力を同時に調整するように機能する少なくとも１つの駆動ギアと、を備える、クロージャ用調整機構。
【請求項７１】
前記少なくとも１つの駆動ギアの各々は、前記従動ギアに係合している第１の位置から、前記従動ギアから係合解除されている第２の位置に、移行可能である、請求項７０に記載のクロージャ用調整機構。
【請求項７２】
前記駆動ギアは、前記係合解除位置に向けて付勢されている、請求項７１に記載のクロージャ用調整機構。
【請求項７３】
細長ベースを有する閉鎖機構用の、サブアセンブリであって、
第１端および第２端を有する細長本体と、
前記第１端から前記第２端までの少なくとも一部に延在するキャリッジ軌道と、
前記キャリッジ軌道に沿って可動であるキャリッジであって、
他のサブアセンブリのリンク機構に連結するように機能する第１のリンク機構と、
他のサブアセンブリのリンク機構または対象物側トリガに連結するように機能する第２のリンク機構と、を有するキャリッジと、
当該少なくとも１つのさらなるサブアセンブリのそれぞれの前記第１端と前記キャリッジとを連結する弾性機構と、を備え、
当該サブアセンブリは、前記閉鎖機構内の少なくとも１つの他のサブアセンブリと協働するように構成されており、それらのサブアセンブリによって第１の方向に付与される最大力が、それらのサブアセンブリによって第２の反対方向に付与される最大力よりも大きいように、それらのサブアセンブリは、前記閉鎖機構の前記ベース内で構成される、閉鎖機構用サブアセンブリ。
【請求項７４】
添付図面を参照して前記で記載されたような、閉鎖機構。
【請求項７５】
添付図面を参照して前記で記載されたような、パネル用の閉鎖装置。
【国際調査報告】
2018523032.tif 000072
2018523032.tif 000073
2018523032.tif 000074
2018523032.tif 000075
2018523032.tif 000076